(57)【要約】【課題】汎用性の高い電気的接続装置を提供する。【解決手段】導電部Ｃが電気的に接続されるコンタクト部１１が少なくとも１つ収容されている又は収容可能な第１ハウジング２０と、複数の第１ハウジング２０が収容されている又は収容可能な第１ハウジング収容空間Ｓを少なくとも１つ有する第２ハウジング３０と、複数のコンタクト部１１のそれぞれと電気的に接続される複数の相手側コンタクト部９と、を備えた電気的接続装置１を提供する。【選択図】図３
2018125274.tif 000002
【特許請求の範囲】
【請求項１】
導電部が電気的に接続されるコンタクト部が少なくとも１つ収容されている又は収容可能な第１ハウジングと、
複数の前記第１ハウジングが収容されている又は収容可能な第１ハウジング収容空間を少なくとも１つ有する第２ハウジングと、
複数の前記コンタクト部のそれぞれと電気的に接続される複数の相手側コンタクト部と、
を備えていることを特徴とする、電気的接続装置。
【請求項２】
請求項１に記載の電気的接続装置において、
複数の前記コンタクト部、複数の前記第１ハウジング、及び前記第２ハウジング、を有するコネクタと、
前記第２ハウジングが嵌合するベースハウジング、及び複数の前記相手側コンタクト部、を有する相手側コネクタと、
を備えていることを特徴とする、電気的接続装置。
【請求項３】
請求項１又は請求項２に記載の電気的接続装置において、
前記第２ハウジングには、１つの前記第１ハウジング収容空間が形成されていることを特徴とする、電気的接続装置。
【請求項４】
請求項１又は請求項２に記載の電気的接続装置において、
前記第２ハウジングには、複数の前記第１ハウジング収容空間が形成されていることを特徴とする、電気的接続装置。
【請求項５】
請求項１から請求項４のいずれか１項に記載の電気的接続装置において、
前記第２ハウジングに嵌合された状態において前記第１ハウジング収容空間を複数の空間に区画する少なくとも１つの区画部材、を更に備えていることを特徴とする、電気的接続装置。
【請求項６】
請求項１から請求項５のいずれか１項に記載の電気的接続装置において、
前記第２ハウジングは、前記相手側コンタクト部が貫通する貫通孔を有する底部と、前記底部の外周縁部から延びる筒状の立ち上がり部と、を有するとともに前記底部と向かい合う一側面が開放された箱状に形成されており、
前記一側面から前記底部へ向かう方向に沿う方向が、前記第２ハウジングに対する前記第１ハウジングの着脱方向として規定されていることを特徴とする、電気的接続装置。
【請求項７】
請求項１から請求項５のいずれか１項に記載の電気的接続装置において、
前記第２ハウジングは、前記相手側コンタクト部が貫通する貫通孔を有する底部を含むとともに、前記底部の外周縁部の一縁部側が前記第２ハウジングの外部に開放された形状に形成されており、
前記一縁部から前記第２ハウジング内へ向かう方向に沿う方向が、前記第２ハウジングに対する前記第１ハウジングの着脱方向として規定されていることを特徴とする、電気的接続装置。
【請求項８】
請求項７に記載の電気的接続装置において、
前記第２ハウジングは、前記第２ハウジングの前記底部と向かい合うように配置された支点部を含み、
前記着脱方向は、前記支点部回りの方向を含んでいることを特徴とする、電気的接続装置。
【発明の詳細な説明】
【技術分野】
【０００１】
本発明は、複数の接続対象を相手側の接続対象へ電気的に接続するための電気的接続装置に関する。
【背景技術】
【０００２】
例えば、特許文献１では、該特許文献１の図１及び図２を参照して、ホルダ２０に形成された複数のコネクタ保持部２１のそれぞれに、複数のコネクタ１０のハウジング（第１ハウジング）のそれぞれが嵌合する。言い換えれば、特許文献１では、コネクタ１０のハウジングとコネクタ保持部２１とが１対１で対応している。そして、複数のコネクタ１０が嵌合したホルダ２０がコネクタハウジング３０に嵌合することにより、複数のコネクタ１０のそれぞれが相手側のコネクタに電気的に接続される。各コネクタ保持部２１は、直方体形状とされた函体の内部が複数の仕切り板２４によって仕切られることにより、１つのコネクタ１０を収容することができる。特許文献１のような構成を有するコネクタ１０及びホルダ２０によれば、複数のコネクタ１０が嵌合したホルダ２０をコネクタハウジング３０に嵌合することにより、例えば各コネクタ１０に電気的に接続された接続対象、すなわち複数の接続対象を、コネクタハウジング３０が設けられた側の接続対象へ、一度に纏めて電気的に接続することができる。
【先行技術文献】
【特許文献】
【０００３】
【特許文献１】特開２００３−１５１６７７号公報
【発明の概要】
【発明が解決しようとする課題】
【０００４】
ところで、特許文献１のような構成を有する電気的接続装置の場合、上述したように、コネクタ１０のハウジングとホルダ（第２ハウジング）に形成されたコネクタ保持部２１とが１対１で対応している。よって、例えば設計変更等によってコネクタの極数が変更となった場合、それに合わせたホルダが必要となってしまう。
【０００５】
本発明は、上記課題を解決するためのものであり、その目的は、汎用性の高い電気的接続装置を提供することである。
【課題を解決するための手段】
【０００６】
（１）上記課題を解決するために、この発明のある局面に係る電気的接続装置は、導電部が電気的に接続されるコンタクト部が少なくとも１つ収容されている又は収容可能な第１ハウジングと、複数の前記第１ハウジングが収容されている又は収容可能な第１ハウジング収容空間を少なくとも１つ有する第２ハウジングと、複数の前記コンタクト部のそれぞれと電気的に接続される複数の相手側コンタクト部と、を備えている。
【０００７】
この構成によれば、それぞれに導電部が接続される少なくとも１つのコンタクト部が第１ハウジング内に収容される。そしてそのようにして少なくとも１つのコンタクト部が収容された第１ハウジングが複数、第２ハウジングに収容される。これにより、或いはこのようにして複数の第１ハウジングが収容された第２ハウジングが相手側のコネクタに嵌合することにより、複数のコンタクト部のそれぞれを、対応する相手側コンタクト部と電気的に接続することができる。これにより、複数の接続対象を相手側の接続対象へ電気的に接続することができる。
【０００８】
そして、この構成では、第２ハウジングに、複数の第１ハウジングを収容可能な第１ハウジング収容空間が形成されている。こうすると、例えば、第１ハウジング収容空間内における複数の第１ハウジングの配置自由度を高めることができる。具体的には、一例として、第２ハウジングに、合計で１２個のコンタクト部を収容可能な第１ハウジング収容空間を形成した場合、この第１ハウジング収容空間には、２極の第１ハウジングを１つ、３極の第１ハウジングを２つ、及び４極の第１ハウジングを１つ、収容することができる。また、この第１ハウジング収容空間には、２極の第１ハウジングを６つ収容することもできる。或いは、第１ハウジング収容空間内において第１ハウジングが収容されない空間が生じるものの、第１ハウジング収容空間に、２極の第１ハウジングを５つ収容することもできる。すなわち、この構成によれば、相手側のコネクタに接続される複数の接続対象の極数が設計変更等によって変更した場合であっても、同じ第２ハウジングを用いることができる。
【０００９】
従って、この構成によると、汎用性の高い電気的接続装置を提供できる。
【００１０】
（２）好ましくは、前記電気的接続装置は、複数の前記コンタクト部、複数の前記第１ハウジング、及び前記第２ハウジング、を有するコネクタと、前記第２ハウジングが嵌合するベースハウジング、及び複数の前記相手側コンタクト部、を有する相手側コネクタと、を備えている。
【００１１】
この構成によれば、それぞれの内部にコンタクト部が収容された複数の第１ハウジングが第２ハウジングに収容されたコネクタをベースハウジングに嵌合することにより、コネクタと相手側コネクタとを嵌合することができる。すなわち、この構成によれば、コネクタ側に設けられた複数の接続対象と、相手側コネクタ側に設けられた相手側の接続対象とを、一度に纏めて電気的に接続することができる。
【００１２】
（３）好ましくは、前記第２ハウジングには、１つの前記第１ハウジング収容空間が形成されている。
【００１３】
この構成によれば、第２ハウジングにおいて、複数の第１ハウジング収容空間を形成するための区画壁を形成する必要がなくなる。すなわち、この構成によれば、上述のような区画壁を省略できるため、その分第２ハウジングを小型化でき、ひいては電気的接続装置を小型化できる。
【００１４】
（４）好ましくは、前記第２ハウジングには、複数の前記第１ハウジング収容空間が形成されている。
【００１５】
この構成によれば、第２ハウジングに形成された複数の第１ハウジング収容空間のそれぞれにおいて、複数の第１ハウジングを収容することができる。
【００１６】
（５）好ましくは、前記電気的接続装置は、前記第２ハウジングに嵌合された状態において前記第１ハウジング収容空間を複数の空間に区画する少なくとも１つの区画部材、を更に備えている。
【００１７】
この構成によれば、例えば、第１ハウジングを第２ハウジングに収容する前に、第１ハウジング収容空間内における所定の位置に区画部材を収容することにより、第１ハウジング収容空間を複数の空間に区画することができる。こうすると、例えば、第１ハウジング収容空間内における第１ハウジングを収容したくない部分を区画部材で埋めることができる。すなわち、この構成によれば、第２ハウジングに対して第１ハウジングを誤った位置に嵌合してしまうことを防止できる。
【００１８】
（６）好ましくは、前記第２ハウジングは、前記相手側コンタクト部が貫通する貫通孔を有する底部と、前記底部の外周縁部から延びる筒状の立ち上がり部と、を有するとともに、前記底部に向かい合う一側面が開放された箱状に形成されており、前記一側面から前記底部へ向かう方向に沿う方向が、前記第２ハウジングに対する前記第１ハウジングの着脱方向として規定されている。
【００１９】
この構成によれば、第１ハウジングを第２ハウジングに対して真っ直ぐに動かすという簡易な方法で、第１ハウジングを第２ハウジングに着脱できる。
【００２０】
（７）好ましくは、前記第２ハウジングは、前記相手側コンタクト部が貫通する貫通孔を有する底部を含むとともに、前記底部の外周縁部の一縁部側が前記第２ハウジングの外部に開放された形状に形成されており、前記一縁部から前記第２ハウジング内へ向かう方向に沿う方向が、前記第２ハウジングに対する前記第１ハウジングの着脱方向として規定されている。
【００２１】
この構成によれば、第１ハウジングを第２ハウジングの底部の一縁部側から出し入れするという簡易な方法で、第１ハウジングを第２ハウジングに着脱できる。
【００２２】
（８）好ましくは、前記第２ハウジングは、前記第２ハウジングの前記底部と向かい合うように配置された支点部を含み、前記着脱方向は、前記支点部回りの方向を含んでいる。
【００２３】
この構成によれば、第１ハウジングを支点部回りに回転させるという簡易な方法で、第１ハウジングを第２ハウジングに着脱できる。
【発明の効果】
【００２４】
本発明によれば、汎用性の高い電気的接続装置を提供できる。
【図面の簡単な説明】
【００２５】
【図１】本発明の実施形態に係る電気的接続装置の斜視図である。
【図２】図１に示す電気的接続装置を別の方向から視た斜視図である。
【図３】図１に示す電気的接続装置の分解斜視図である。
【図４】図４（Ａ）は、ベースハウジングの斜視図、図４（Ｂ）は、図４（Ａ）に示すベースハウジングを別の方向から視た斜視図である。
【図５】図５（Ａ）は、メス端子部の斜視図、図５（Ｂ）は、図５（Ａ）に示すメス端子部を別の方向から視た斜視図である。
【図６】図６（Ａ）は、２極ソケットハウジングの斜視図、図６（Ｂ）は、３極ソケットハウジングの斜視図、図６（Ｃ）は、４極ソケットハウジングの斜視図、である。
【図７】図７（Ａ）は、図６（Ａ）に示す２極ソケットハウジングを別の方向から視た斜視図、図７（Ｂ）は、図６（Ｂ）に示す３極ソケットハウジングを別の方向から視た斜視図、図７（Ｃ）は、図６（Ｃ）に示す４極ソケットハウジングを別の方向から視た斜視図、である。
【図８】図８（Ａ）は、ホルダーの斜視図、図８（Ｂ）は、ホルダーを別の方向から視た斜視図である。
【図９】変形例に係る電気的接続装置の斜視図である。
【図１０】図９に示す電気的接続装置の分解斜視図である。
【図１１】図１１（Ａ）は、図１０に示すホルダーの斜視図である。また、図１１（Ｂ）は、図１１（Ａ）に示すホルダーを別の方向から視た斜視図である。
【図１２】図１２（Ａ）は、変形例に係る電気的接続装置が有する区画部材を模式的に示す斜視図である。また、図１２（Ｂ）は、図１２（Ａ）に示す区画部材を別の方向から視た斜視図である。
【図１３】図１２（Ａ）及び図１２（Ｂ）に示す区画部材がホルダーに嵌合している状態の一例を示す図である。
【図１４】図１４（Ａ）は、変形例に係る電気的接続装置が有するソケットハウジングを２つ横に並べた図であり、図１４（Ｂ）は、図１４（Ａ）に示す２つのソケットハウジングを互いに係合した状態を示す図である。
【図１５】本発明の第２実施形態に係る電気的接続装置を示す斜視図である。
【図１６】図１５に示す電気的接続装置の断面図である。
【図１７】図１５に示す電気的接続装置の分解斜視図である。
【図１８】図１７とは別の方向から見た電気的接続装置の分解斜視図である。
【図１９】図１７及び図１８とは別の方向から見た電気的接続装置の分解斜視図である。
【図２０】（Ａ）は、相手側コネクタの斜視図であり、（Ｂ）は、相手側コネクタの平面図である。
【図２１】（Ａ）は、２極ソケットハウジング、３極ソケットハウジング、及び、４極ソケットハウジングをメス端子部の一部と併せて示す斜視図であり、（Ｂ）は、図２１（Ａ）とは別の方向から見た２極ソケットハウジング、３極ソケットハウジング、及び、４極ソケットハウジングの斜視図である。
【図２２】（Ａ）は、ホルダーの斜視図であり、（Ｂ）は、ホルダーの側面図であり、（Ｃ）は、ホルダーを図２２（Ａ）とは別の方向から見た斜視図である。
【図２３】（Ａ）は、ホルダーの正面図であり、（Ｂ）は、ホルダーの平面図であり、（Ｃ）は、ホルダーの底面図である。
【図２４】（Ａ）及び（Ｂ）は、ソケットハウジングをホルダーに着脱する動作を説明するための一部断面図である。
【図２５】本発明の第３実施形態に係る電気的接続装置を示す斜視図である。
【図２６】図２５に示す電気的接続装置を前後方向に見た断面図である。
【図２７】図２５に示す電気的接続装置を左右方向に見た断面図である。
【図２８】図２５に示す電気的接続装置の分解斜視図である。
【図２９】図２８とは別の方向から見た電気的接続装置の分解斜視図である。
【図３０】（Ａ）は、相手側コネクタの斜視図であり、（Ｂ）は、相手側コネクタの平面図である。
【図３１】（Ａ）は、ホルダーの斜視図であり、（Ｂ）は、ホルダーの側面図であり、（Ｃ）は、ホルダーを図３１（Ａ）とは別の方向から見た斜視図である。
【図３２】（Ａ）は、ホルダーの正面図であり、図３２（Ｂ）は、ホルダーの底面図であり、図３２（Ｃ）は、ホルダーの平面図である。
【図３３】（Ａ）及び図３３（Ｂ）ソケットハウジングをホルダーに着脱する動作を説明するための一部断面図である。
【発明を実施するための形態】
【００２６】
以下、本発明を実施するための形態について図面を参照しつつ説明する。本発明は、複数の接続対象を電気的に接続する電気的接続装置に広く適用できる。
【００２７】
＜第１実施形態＞
図１は、本発明の第１実施形態に係る電気的接続装置１を示す斜視図である。また、図２は、図１に示す電気的接続装置１を別の方向から視た斜視図である。また、図３は、図１に示す電気的接続装置１の分解斜視図である。本実施形態に係る電気的接続装置１は、複数の接続対象（以下、単に接続対象とも称する）を、相手側コネクタ２が設けられている側の接続対象（以下、相手側接続対象とも称する）に電気的に接続するためのものである。なお、各図において、説明の便宜上、前と記載された矢印が指示する方向を前側又は前方と称し、後と記載された矢印が指示する方向を後側又は後方と称し、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称する。上下方向は、コネクタ１０の挿抜方向に対応している。
【００２８】
電気的接続装置１は、コネクタ１０及び相手側コネクタ２を備えている。電気的接続装置１では、コネクタ１０を相手側コネクタ２に嵌合することにより、上述した複数の接続対象を相手側接続対象に電気的に接続することができる。
【００２９】
［相手側コネクタの構成］
相手側コネクタ２は、本実施形態では表面実装タイプのコネクタであり、コネクタ１０のホルダー３０が嵌合するベースハウジング３と、複数のオス端子部９（相手側コンタクト部）とを有している。相手側コネクタ２は、各オス端子部９（相手側コンタクト部）がベースハウジング３に装着された状態において、各オス端子部９における基端側の部分が、相手側接続対象としての基板（図示省略）に対して半田付けされる。これにより、各オス端子部９が基板における所定の配線部と電気的に接続されるとともに、相手側コネクタ２が基板に対して固定される。なお、本実施形態に係る電気的接続装置１は、ポッティングにも対応しており、相手側コネクタ２が基板に実装された状態において、基板表面をポッティング材で封止することができる。しかし、これに限らず、本実施形態に係る電気的接続装置１は、ポッティングに対応していない電気的接続装置であってもよい。
【００３０】
［ベースハウジングの構成］
図４（Ａ）は、ベースハウジング３の斜視図、図４（Ｂ）は、図４（Ａ）に示すベースハウジング３を別の方向から視た斜視図である。
【００３１】
ベースハウジング３は、図４（Ａ）及び図４（Ｂ）を参照して、左右方向に細長く、上方に開口する開口部が形成された略箱状の部材である。ベースハウジング３は、絶縁性を有する樹脂材料によって構成されている。ベースハウジング３の底部４には、図２を参照して、オス端子部９における先端側の部分が挿通される複数の（本実施形態の場合、１２個の）貫通孔４ａが形成されている。これら複数の貫通孔４ａは、ベースハウジング３の前後方向における中央部分に、左右方向に沿って等間隔に形成されている。
【００３２】
図４（Ａ）及び図４（Ｂ）を参照して、ベースハウジング３の前壁部５における内側の部分には、詳しくは後述するホルダー３０のロック爪３４を上下方向に案内するための一対の案内部６が形成されている。一対の案内部６は、前壁部５の内面からベースハウジング３の内側へ突出するように形成され、左右方向に間隔を空けて設けられている。各案内部６は、図４（Ｂ）を参照して、ベースハウジング３の内側から視て上下方向に延びる矩形状に形成されている。
【００３３】
また、ベースハウジング３の前壁部５の左右方向中央部分における上側の部分には、貫通孔５ａが形成されている。貫通孔５ａは、前後方向から視て左右方向に細長い矩形状に形成されている。この貫通孔５ａは、コネクタ１０が相手側コネクタ２に嵌合した状態において、コネクタ１０のホルダー３０に形成されたロック爪３４の突出部３６が嵌まり込むロック爪用貫通孔５ａとして設けられている。
【００３４】
また、ベースハウジング３の前壁部５における前面側には、前方から視て、各案内部６と対応する位置に矩形凹部７が形成されている。これにより、前壁部５の厚みを均一化できるため、成型時に前壁部５付近に発生しうるヒケを抑制することができる。
【００３５】
［オス端子部の構成］
オス端子部９は、略Ｌ字状に形成された金属部材である。オス端子部９では、その基端側の部分９ａが基板に対して半田付けされる一方、先端側の部分が、ベースハウジング３の底部４に形成された貫通孔４ａを貫通することにより、ベースハウジング３内に収容される。オス端子部９は、図２に示すように、基端側の部分９ａが、前方及び後方のいずれかへ延びるように、ベースハウジング３に取り付けられる。具体的には、図２を参照して、複数のオス端子部９は、基端側の部分９ａが前方へ向かうオス端子部９と、基端側の部分９ａが後方へ向かうオス端子部９とが、左右方向において交互に並ぶように設けられている。本実施形態では、コネクタ１０と相手側コネクタ２とが嵌合することにより、詳しくは後述する複数のメス端子部１１のそれぞれが、複数のオス端子部９のそれぞれと電気的に接続される。
【００３６】
［コネクタの構成］
図３を参照して、コネクタ１０は、複数のメス端子部１１（コンタクト部）と、複数のソケットハウジング２０（第１ハウジング）と、ホルダー３０（第２ハウジング）とを有している。
【００３７】
［メス端子部の構成］
図５（Ａ）は、メス端子部１１の斜視図、図５（Ｂ）は、図５（Ａ）に示すメス端子部１１を別の方向から視た斜視図である。
【００３８】
メス端子部１１は、金属製の部材がプレス加工等によって折り曲げられることにより形成された部材である。メス端子部１１は、被覆かしめ部１２と、芯線かしめ部１３と、コンタクト部１４とを有し、これらが一体に形成されている。メス端子部１１では、ケーブルＣ（導電部）の被覆部分が被覆かしめ部１２によってかしめられ、ケーブルＣの芯線が芯線かしめ部１３によってかしめられている。これにより、メス端子部１１にケーブルＣが固定されるとともに、ケーブルＣの芯線とメス端子部１１とが電気的に接続される。
【００３９】
メス端子部１１は、上述のようにケーブルＣにかしめられた状態において、ソケットハウジング２０の収容空間に挿入されて固定される。具体的には、ケーブルＣにかしめられた状態のメス端子部１１の端子側ランス１５が、詳しくは後述するソケットハウジング２０のソケットハウジング側ランス２４と係合することにより、ソケットハウジング２０に対するメス端子部１１の抜けが防止される。
【００４０】
［ソケットハウジングの構成］
図６（Ａ）は、２極ソケットハウジングの斜視図、図６（Ｂ）は、３極ソケットハウジングの斜視図、図６（Ｃ）は、４極ソケットハウジングの斜視図、である。また、図７（Ａ）は、図６（Ａ）に示す２極ソケットハウジングを別の方向から視た斜視図、図７（Ｂ）は、図６（Ｂ）に示す３極ソケットハウジングを別の方向から視た斜視図、図７（Ｃ）は、図６（Ｃ）に示す４極ソケットハウジングを別の方向から視た斜視図、である。
【００４１】
図３及び図６（Ａ）〜図７（Ｃ）を参照して、ソケットハウジング２０は、絶縁性を有する樹脂材料によって、その内部にメス端子部１１を挿入可能な箱状に形成されている。ソケットハウジング２０は、ケーブルＣがかしめられたメス端子部１１を内部に収容した状態で相手側コネクタ２に嵌合されることにより、コネクタ１０側に設けられた各接続対象を、相手側コネクタ２側に設けられた相手側接続対象に接続することができる。
【００４２】
本実施形態に係る電気的接続装置１は、４つのソケットハウジング２０を有している。具体的には、電気的接続装置１は、４つのソケットハウジング２０として、２極ソケットハウジング２０Ａを１つ、３極ソケットハウジング２０Ｂを２つ、４極ソケットハウジング２０Ｃを１つ、有している。
【００４３】
２極ソケットハウジング２０Ａは、図３、図６（Ａ）及び図７（Ａ）を参照して、内部に２つのメス端子部１１を収容可能なソケットハウジングである。２極ソケットハウジング２０Ａは、角筒部２１と、区画壁２２と、底部２３とを有し、これらが一体に形成されている。
【００４４】
角筒部２１は、上方から視て左右方向にやや長い長方形状に形成されているとともに、上下方向に延びる角筒状に形成されている。
【００４５】
区画壁２２は、左右方向に厚みを有し且つ上下方向に延びる壁状の部分であって、角筒部２１内の空間を複数の空間に区画している。２極ソケットハウジング２０Ａでは、角筒部２１の内部に１つの区画壁２２が設けられている。これにより、角筒部２１内の空間には、上下方向に細長い２つの空間が形成される。この２つの空間は、それぞれ、ケーブルＣにかしめられたメス端子部１１が収容されるメス端子部収容空間Ｓａとして設けられている。
【００４６】
底部２３は、角筒部２１における下側の開口を覆うように設けられている。底部２３には、下方から視て、各メス端子部収容空間Ｓａに対応する部分に、貫通孔２３ａが形成されている。電気的接続装置１では、コネクタ１０が相手側コネクタ２に接続する際、相手側コネクタ２のオス端子部９の先端部分が、詳しくは後述する貫通孔３２ａ及びここで説明した貫通孔２３ａを貫通することにより、メス端子部１１のコンタクト部１４内に挿入される。これにより、各オス端子部９と各メス端子部１１とが接触するため、コネクタ１０と相手側コネクタ２とが電気的に接続される。
【００４７】
また、２極ソケットハウジング２０Ａには、ソケットハウジング側ランス２４が形成されている。ソケットハウジング側ランス２４は、角筒部２１における前側の壁部において、各メス端子部収容空間Ｓａに対応する位置に形成されている。すなわち、２極ソケットハウジング２０Ａには、２つのソケットハウジング側ランス２４が形成されている。ソケットハウジング側ランス２４は、上下方向に延びる片持ち梁状に形成され、その上側の部分が角筒部２１と一体に設けられている一方、その下側の部分が前後方向に撓むことが可能なように形成されている。コネクタ１０では、ケーブルＣにかしめられた状態のメス端子部１１がメス端子部収容空間Ｓａに収容される際、メス端子部１１の端子側ランス１５とソケットハウジング側ランス２４とが係合する。これにより、２極ソケットハウジング２０Ａに対するメス端子部１１の抜けが防止される。
【００４８】
また、２極ソケットハウジング２０Ａには、突起部２５が形成されている。突起部２５は、角筒部２１における後側の壁部において、該壁部から後方へ突出するように設けられている。２極ソケットハウジング２０Ａでは、２つの突起部２５が形成されている。２つの突起部２５は、角筒部２１の後側の壁部におけるやや下側の部分において、左右方向に間隔を空けて設けられている。
【００４９】
３極ソケットハウジング２０Ｂは、図３、図６（Ｂ）及び図７（Ｂ）を参照して、内部に３つのメス端子部１１を収容可能なソケットハウジングである。３極ソケットハウジング２０Ｂは、角筒部２１と、区画壁２２と、底部２３とを有し、これらが一体に形成されている。
【００５０】
角筒部２１は、上方から視て左右方向に長い長方形状に形成されているとともに、上下方向に延びる角筒状に形成されている。３極ソケットハウジング２０Ｂの角筒部２１は、２極ソケットハウジング２０Ａの角筒部２１よりも、左右方向に長い。
【００５１】
区画壁２２は、左右方向に厚みを有し且つ上下方向に延びる壁状の部分であって、角筒部２１内の空間を複数の空間に区画している。３極ソケットハウジング２０Ｂでは、角筒部２１の内部に２つの区画壁２２が設けられている。これにより、角筒部２１内の空間には、上下方向に細長い３つの空間が形成される。この３つの空間は、それぞれ、ケーブルＣにかしめられたメス端子部１１が収容されるメス端子部収容空間Ｓａとして設けられている。
【００５２】
底部２３は、角筒部２１における下側の開口を覆うように設けられている。下方から視た場合における３極ソケットハウジング２０Ｂの底部２３の左右方向における寸法は、２極ソケットハウジング２０Ａの底部２３の左右方向における寸法よりも大きい。
【００５３】
また、３極ソケットハウジング２０Ｂには、ソケットハウジング側ランス２４が形成されている。ソケットハウジング側ランス２４は、角筒部２１における前側の壁部において、各メス端子部収容空間Ｓａに対応する位置に形成されている。すなわち、３極ソケットハウジング２０Ｂには、３つのソケットハウジング側ランス２４が形成されている。各ソケットハウジング側ランス２４の構成は、２極ソケットハウジング２０Ａのソケットハウジング側ランス２４の構成と同じであるため、その説明を省略する。
【００５４】
また、３極ソケットハウジング２０Ｂには、突起部２５が形成されている。突起部２５は、角筒部２１における後側の壁部において、該壁部から後方へ突出するように設けられている。３極ソケットハウジング２０Ｂでは、２つの突起部２５が形成されている。２つの突起部２５は、角筒部２１の後側の壁部におけるやや下側の部分において、左右方向に間隔を空けて設けられている。
【００５５】
４極ソケットハウジング２０Ｃは、図３、図６（Ｃ）及び図７（Ｃ）を参照して、内部に４つのメス端子部１１を収容可能なソケットハウジングである。４極ソケットハウジング２０Ｃは、角筒部２１と、区画壁２２と、底部２３とを有し、これらが一体に形成されている。
【００５６】
角筒部２１は、上方から視て左右方向に長い長方形状に形成されているとともに、上下方向に延びる角筒状に形成されている。４極ソケットハウジング２０Ｃの角筒部２１は、３極ソケットハウジング２０Ｂの角筒部２１よりも、左右方向に長い。
【００５７】
区画壁２２は、左右方向に厚みを有し且つ上下方向に延びる壁状の部分であって、角筒部２１内の空間を複数の空間に区画している。４極ソケットハウジング２０Ｃでは、角筒部２１の内部に３つの区画壁２２が設けられている。これにより、角筒部２１内の空間には、上下方向に細長い４つの空間が形成される。この４つの空間は、それぞれ、ケーブルＣにかしめられたメス端子部１１が収容されるメス端子部収容空間Ｓａとして設けられている。
【００５８】
底部２３は、角筒部２１における下側の開口を覆うように設けられている。下方から視た場合における４極ソケットハウジング２０Ｃの底部２３の左右方向における寸法は、３極ソケットハウジング２０Ｂの底部２３の左右方向における寸法よりも大きい。
【００５９】
また、４極ソケットハウジング２０Ｃには、ソケットハウジング側ランス２４が形成されている。ソケットハウジング側ランス２４は、角筒部２１における前側の壁部において、各メス端子部収容空間Ｓａに対応する位置に形成されている。すなわち、４極ソケットハウジング２０Ｃには、４つのソケットハウジング側ランス２４が形成されている。各ソケットハウジング側ランス２４の構成は、２極ソケットハウジング２０Ａのソケットハウジング側ランス２４の構成と同じであるため、その説明を省略する。
【００６０】
また、４極ソケットハウジング２０Ｃには、突起部２５が形成されている。突起部２５は、角筒部２１における後側の壁部において、該壁部から後方へ突出するように設けられている。４極ソケットハウジング２０Ｃでは、２つの突起部２５が形成されている。２つの突起部２５は、角筒部２１の後側の壁部におけるやや下側の部分において、左右方向に間隔を空けて設けられている。
【００６１】
ここで、図３を参照して、一番左側のソケットハウジング２０Ａに収容される２つのメス端子部１１のそれぞれに接続されたケーブルＣは、接続対象としての第１接続対象（図示省略）に接続されている。また、左から２番目のソケットハウジング２０Ｂに収容される３つのメス端子部１１のそれぞれに接続されたケーブルＣは、接続対象としての第２接続対象（図示省略）に接続されている。また、右から２番目のソケットハウジング２０Ｃに収容される４つのメス端子部１１のそれぞれに接続されたケーブルＣは、接続対象としての第３接続対象（図示省略）に接続されている。また、一番右側のソケットハウジング２０Ｂに収容される３つのメス端子部１１のそれぞれに接続されたケーブルＣは、接続対象としての第４接続対象（図示省略）に接続されている。すなわち、本実施形態では、複数の接続対象のそれぞれに対応したソケットハウジング２０が設けられている。第１から第４の接続対象は、例えば所定の機器である。
【００６２】
［ホルダーの構成］
図８（Ａ）は、ホルダー３０の斜視図、図８（Ｂ）は、図８（Ａ）に示すホルダー３０を別の方向から視た斜視図である。
【００６３】
図３及び図８（Ａ）〜図８（Ｂ）を参照して、ホルダー３０は、絶縁性を有する樹脂材料によって形成されていて、左右方向に細長い略箱状に形成されている。ホルダー３０は、ホルダー本体部３１と、ホルダー側ランス３３と、ロック爪３４と、突起案内部３８とを有し、これらが一体に形成されている。
【００６４】
ホルダー本体部３１は、上方に開口する箱状に形成されている。より具体的には、ホルダー本体部３１は、左右に細長い矩形板状の底部３２と、この底部３２の外周縁部から上方に延びる四角筒状の立ち上がり部と、を有するとともに底部３２と上下方向に向かい合う一側面としての上面が開放された箱状に形成されている。本実施形態では、ホルダー本体部３１の内部には、複数のソケットハウジング２０を収容可能な１つのソケットハウジング収容空間Ｓ（第１ハウジング収容空間）が形成されている。言い換えれば、ホルダー本体部３１の内部には、該ホルダー３０の内部の空間である１つのソケットハウジング収容空間Ｓを複数の空間に区画する区画壁は形成されていない。そして、ホルダー本体部３１の上面から底部３２へ向かう方向に沿う方向としての上下方向が、ホルダー３０に対するソケットハウジング２０の着脱方向として規定されている。
【００６５】
ホルダー本体部３１の底部３２には、下方から視て、左右方向に等間隔に複数の（本実施形態の場合、１２個の）貫通孔３２ａが形成されている。電気的接続装置１では、コネクタ１０が相手側コネクタ２に接続する際、相手側コネクタ２のオス端子部９の先端部分が、ここで説明した貫通孔３２ａ及び上述した貫通孔２３ａを貫通することにより、オス端子部９がメス端子部１１のコンタクト部１４内に挿入される。これにより、各オス端子部９と各メス端子部１１とが接触するため、コネクタ１０と相手側コネクタ２とが電気的に接続される。
【００６６】
ホルダー側ランス３３は、ホルダー本体部３１における後側の壁部において、左右方向に等間隔に設けられている。ホルダー側ランス３３は、左右方向において貫通孔３２ａと対応する位置に形成されている。すなわち、本実施形態では、１２個のホルダー側ランス３３が形成されている。ホルダー側ランス３３は、上下方向に延びる片持ち梁状に形成され、その上側の部分がホルダー本体部３１と一体に設けられている一方、その下側の部分が前後方向に撓むことが可能なように形成されている。コネクタ１０では、各ソケットハウジング２０がホルダー３０に収容される際、各ソケットハウジング２０に形成された２つの突起部２５がホルダー側ランス３３と係合する。これにより、ホルダー３０に対する各ソケットハウジング２０の抜けが防止される。
【００６７】
ロック爪３４は、撓み部３５と、突出部３６と、操作部３７とを有し、これらが一体に形成されている。
【００６８】
撓み部３５は、上下方向に延びる片持ち梁状に形成された部分である。撓み部３５は、下側の部分がホルダー本体部３１の前側の壁部における下側の部分と一体に形成されている一方、上側の部分が、ホルダー本体部３１の前側の壁部とやや離隔して設けられている。突出部３６は、撓み部３５における上側の部分から前方へ突出するように設けられている。突出部３６は、前方から視て、左右方向に細長い長方形状に形成されている。操作部３７は、撓み部３５における上端部分から前方へ膨出するように設けられた部分である。
【００６９】
電気的接続装置１において、コネクタ１０が相手側コネクタ２と嵌合した状態では、ロック爪３４の突出部３６がベースハウジング３のロック爪用貫通孔５ａ内に入り込んでいる。これにより、相手側コネクタ２に対するコネクタ１０の抜けを防止することができる。また、電気的接続装置１において、コネクタ１０を相手側コネクタ２から外す際には、ロック爪３４の操作部３７を押圧してロック爪３４の突出部３６をロック爪用貫通孔５ａから外した状態で、コネクタ１０を上方へ引き抜けばよい。これにより、コネクタ１０を相手側コネクタ２から外すことができる。
【００７０】
突起案内部３８は、ホルダー本体部３１の内側において、上下方向に延びるように形成されている。具体的には、突起案内部３８は、ホルダー本体部３１の後側の壁部において、該壁部の上端から下端まで延びる細長い壁状に形成されている。突起案内部３８は、左右方向に等間隔に１３本、形成されている。
【００７１】
［コネクタにおける各部品の組立工程］
コネクタ１０における各部品の組立工程では、まず、図３等を参照して、ケーブルＣにかしめられた各メス端子部１１が、ソケットハウジング２０に形成された各メス端子部収容空間Ｓａに挿入される。具体的には、メス端子部１１がメス端子部収容空間Ｓａ側へ挿入されて押し込まれると、端子側ランス１５とソケットハウジング側ランス２４とが係合する。そうすると、ケーブルＣを上方へ引っ張るなどしてメス端子部１１をソケットハウジング２０から引き抜こうとしても、端子側ランス１５がソケットハウジング側ランス２４に引っ掛かる。これにより、ソケットハウジング２０に対するメス端子部１１の抜けを防止できる。
【００７２】
次に、メス端子部１１が収容された各ソケットハウジング２０が、ホルダー３０内へ挿入される。具体的には、図３を参照して、一番左側のソケットハウジング２０（２極ソケットハウジング２０Ａ）は、ソケットハウジング収容空間Ｓ内における一番左側の部分に挿入される。また、左から２番目のソケットハウジング２０（３極ソケットハウジング２０Ｂ）は、ソケットハウジング収容空間Ｓ内における、２極ソケットハウジング２０Ａの右隣の部分に挿入される。また、左から３番目のソケットハウジング２０（４極ソケットハウジング２０Ｃ）は、ソケットハウジング収容空間Ｓ内における、３極ソケットハウジング２０Ｂの右隣の部分に挿入される。また、一番右側のソケットハウジング２０（３極ソケットハウジング２０Ｂ）は、ソケットハウジング収容空間Ｓ内における一番右側の部分に挿入される。
【００７３】
上述のように、ソケットハウジング２０をソケットハウジング収容空間Ｓへ挿入する際、ソケットハウジング２０に形成された突起部２５が、ホルダー３０の内側に形成された突起案内部３８によって下方へ案内される。そして、ソケットハウジング２０を更に押圧すると、突起部２５とホルダー側ランス３３とが係合する。そうすると、ケーブルＣを上方へ引っ張るなどしてソケットハウジング２０をホルダー３０から引き抜こうとしても、突起部２５がホルダー側ランス３３に引っ掛かる。これにより、ホルダー３０に対する各ソケットハウジング２０の抜けを防止できる。
【００７４】
［１つのホルダーに対する複数のソケットハウジングの嵌合組合せについて］
ところで、本実施形態に係る電気的接続装置１のコネクタ１０では、４つのソケットハウジング２０をホルダー３０に嵌合させる例を挙げて説明した。しかし、本実施形態のように、ホルダー３０に、複数のソケットハウジング２０を収容可能なソケットハウジング収容空間Ｓを形成すると、４つ以外のソケットハウジング２０をホルダー３０に嵌合させることも可能となる。具体的には、例えば４極ソケットハウジング２０Ｃを３つ、ホルダー３０に嵌合させることも可能となり、或いは、２極ソケットハウジング２０Ａを６つ、ホルダー３０に嵌合させることも可能となる。また、本実施形態によれば、４つのソケットハウジング２０を、図３に示すような順番で右側から左側へ向けて収容する必要がなく、左右における順番を並び替えることも可能となる。
【００７５】
このように、本実施形態に係る電気的接続装置１のホルダー３０は、複数のソケットハウジング２０を収容可能なソケットハウジング収容空間Ｓを有しているため、該ホルダー３０に収容されるソケットハウジング２０の個数、極数、或いは収容される位置を、ソケットハウジング収容空間Ｓの範囲内において、自由に設定することができる。すなわち、本実施形態によれば、ホルダー３０に対するソケットハウジング２０の配置自由度を向上することができるため、汎用性に優れた電気的接続装置を提供できる。
【００７６】
［効果］
以上のように、本実施形態に係る電気的接続装置１では、それぞれにケーブルＣが接続される少なくとも１つのメス端子部１１がソケットハウジング２０内に収容される。そしてそのようにして少なくとも１つのメス端子部１１が収容されたソケットハウジング２０が複数、ホルダー３０に収容される。このようにして複数のソケットハウジング２０が収容されたホルダー３０が相手側コネクタ２のベースハウジング３に嵌合することにより、複数のメス端子部１１のそれぞれを、対応するオス端子部９と電気的に接続することができる。これにより、複数の接続対象（第１から第４の接続対象）を、相手側接続対象（基板）へ電気的に接続することができる。
【００７７】
そして、電気的接続装置１では、ホルダー３０に、複数のソケットハウジング２０を収容可能なソケットハウジング収容空間Ｓが形成されている。こうすると、例えば、ソケットハウジング収容空間Ｓ内における複数のソケットハウジング２０の配置自由度を高めることができる。具体的には、例えば本実施形態のように、ホルダー３０に、合計で１２個のメス端子部１１を収容可能なソケットハウジング収容空間Ｓを形成した場合、この第１ハウジング収容空間には、２極ソケットハウジング２０Ａを１つ、３極ソケットハウジング２０Ｂを２つ、及び４極ソケットハウジング２０Ｃを１つ、収容することができる。また、このソケットハウジング収容空間Ｓには、２極ソケットハウジング２０Ａを６つ収容することもできる。或いは、ソケットハウジング収容空間Ｓ内においてソケットハウジング２０が収容されないデッドスペースが生じるものの、ソケットハウジング収容空間Ｓに、２極ソケットハウジングを５つ収容することもできる。すなわち、電気的接続装置１によれば、相手側コネクタに接続される複数の接続対象の極数が設計変更等によって変更した場合であっても、同じホルダー３０を用いることができる。
【００７８】
従って、電気的接続装置１によれば、汎用性の高い電気的接続装置を提供できる。
【００７９】
また、電気的接続装置１によれば、それぞれの内部にメス端子部１１が収容された複数のソケットハウジング２０がホルダー３０に収容されたコネクタ１０をベースハウジング３に嵌合することにより、コネクタ１０と相手側コネクタ２とを嵌合することができる。すなわち、電気的接続装置１によれば、コネクタ１０側に設けられた複数の接続対象（第１から第４の接続対象）と、相手側コネクタ２側に設けられた相手側接続対象とを、一度に纏めて電気的に接続することができる。
【００８０】
また、電気的接続装置１では、ホルダー３０に１つのソケットハウジング収容空間Ｓが形成されている。こうすると、複数のソケットハウジング収容空間を形成するための区画壁を形成する必要がなくなる。すなわち、電気的接続装置１によれば、上述のような区画壁を省略できるため、その分ホルダー３０を小型化でき、ひいては電気的接続装置を小型化できる。
【００８１】
以上、本発明の実施形態について説明したが、本発明はこれらに限定されるものではなく、本発明の趣旨を逸脱しない限りにおいて種々の変更が可能である。なお、以下では、上述の第１実施形態と同様の構成には図に同様の符号を付し、繰り返しの説明を省略する場合がある。
【００８２】
［第１実施形態の変形例］
（１）図９は、変形例に係る電気的接続装置１ａの斜視図である。また、図１０は、図９に示す電気的接続装置１ａの分解斜視図である。
【００８３】
上述した第１実施形態では、左右方向において一列に並ぶ複数のオス端子部９を有する相手側コネクタ２と、当該相手側コネクタ２に嵌合するコネクタ１０とを備えた電気的接続装置１を例に挙げて説明したが、これに限らない。具体的には、図９及び図１０に示すように、前後方向において２列に並ぶ複数のオス端子部９を有する相手側コネクタ２ａと、当該相手側コネクタ２ａに嵌合するコネクタ１０ａとを備えた電気的接続装置１ａを構成してもよい。
【００８４】
本変形例に係る電気的接続装置１ａは、相手側コネクタ２ａと、コネクタ１０ａとを備えている。相手側コネクタ２ａは、ベースハウジング３ａと、複数の（本実施形態の場合、２４本の）オス端子部９とを有している。相手側コネクタ２ａは、ベースハウジング３ａの形状が、前後方向において２列に並ぶオス端子部９に対応している点と、オス端子部９の本数とが異なる点を除いて、上述した実施形態の相手側コネクタ２と同様の構成でるため、その説明を省略する。
【００８５】
コネクタ１０ａは、複数の（本実施形態の場合、２４個の）メス端子部１１と、複数の（本実施形態の場合、８個の）ソケットハウジング２０と、ホルダー４０とを有している。コネクタ１０ａは、上記実施形態に係るコネクタ１０と比べて、ホルダー４０の形状が異なっている。一方、コネクタ１０ａでは、メス端子部１１の本数及びソケットハウジング２０の個数が、上述した実施形態のコネクタ１０と異なっているけれども、各メス端子部１１及び各ソケットハウジング２０の形状は、上記実施形態の場合と同じである。以下では、主にホルダー４０の形状について説明し、それ以外の部分については、説明を省略する。
【００８６】
図１１（Ａ）は、図１０に示すホルダー４０の斜視図、図１１（Ｂ）は、図１１（Ａ）に示すホルダーを別の方向から視た斜視図である。図１０〜図１１（Ｂ）を参照して、ホルダー４０は、上記第１実施形態の場合と同様、絶縁性を有する樹脂材料によって形成されていて、左右方向に細長い略箱状に形成されている。ホルダー４０は、ホルダー本体部４１と、仕切壁４９と、ホルダー側ランス４３と、ロック爪３４と、突起案内部４８とを有し、これらが一体に形成されている。ここで、ロック爪３４の構成については、上記実施形態のロック爪３４と同様の構成であるため、その説明を省略する。
【００８７】
ホルダー本体部４１は、上方に開口する左右方向に細長い箱状に形成されている。ホルダー本体部４１の左右方向における寸法は、上記実施形態のホルダー本体部３１と同じ寸法に設定されている。一方、ホルダー本体部４１の前後方向における寸法は、上記実施形態のホルダー本体部３１よりも大きい寸法に設定されている。
【００８８】
仕切壁４９は、ホルダー本体部４１の内部の空間を前後方向において均等に仕切る壁状の部分である。仕切壁４９は、前後方向に厚みを有し、上下左右方向に拡がるように設けられている。この仕切壁４９によって、ホルダー本体部４１の内部の空間は、該仕切壁４９よりも前側の空間であるソケットハウジング第１収容空間Ｓ１と、該仕切壁４９よりも後側の空間であるソケットハウジング第２収容空間Ｓ２とに仕切られる。すなわち、本変形例では、ホルダー４０に、２つのソケットハウジング収容空間Ｓ１，Ｓ２（第１ハウジング収容空間）が形成されている。
【００８９】
ホルダー本体部４１の底部４２には、下方から視て、左右方向に等間隔に並ぶ１２個の貫通孔３２ａが、前後方向に間隔を空けて２列、形成されている。すなわち、本変形例では、ホルダー本体部４１の底部４２には、２４個の貫通孔４２ａが形成されている。
【００９０】
ホルダー側ランス４３は、ホルダー本体部４１における後側の壁部、及び仕切壁４９のそれぞれにおいて、左右方向に等間隔に設けられている。ホルダー側ランス４３は、左右方向において貫通孔４２ａと対応する位置に形成されている。すなわち、本実施形態では、２４個のホルダー側ランス３３が形成されている。ホルダー側ランス４３は、上下方向に延びる片持ち梁状に形成され、その上側の部分がホルダー本体部４１又は仕切壁４９と一体に設けられている一方、その下側の部分が前後方向に撓むことが可能なように形成されている。コネクタ１０ａでは、各ソケットハウジング２０がホルダー４０に収容される際、各ソケットハウジング２０に形成された２つの突起部２５がホルダー側ランス４３と係合する。これにより、ホルダー４０に対する各ソケットハウジング２０の抜けが防止される。なお、図１１（Ａ）及び図１１（Ｂ）では、仕切壁４９に形成されたホルダー側ランス４３は図示されていない。
【００９１】
突起案内部４８は、ホルダー本体部４１の内側において、上下方向に延びるように形成されている。具体的には、突起案内部４８は、ホルダー本体部４１の後側の壁部及び仕切壁４９のそれぞれにおいて、上端から下端まで延びる細長い壁状に形成されている。突起案内部４８は、ホルダー本体部４１の後側の壁部において左右方向に等間隔に１３本、形成されている。また、突起案内部４８は、仕切壁４９の前面において左右方向に等間隔に１３本、形成されている。
【００９２】
［効果］
以上のように、本変形例に係る電気的接続装置１ａでは、ホルダー４０に形成された複数のソケットハウジング収容空間Ｓ１，Ｓ２のそれぞれにおいて、複数のソケットハウジング２０を収容することができる。従って、上記実施形態の場合と同様、汎用性に優れた電気的接続装置を提供できる。
【００９３】
（２）図１２（Ａ）は、変形例に係る電気的接続装置が有する区画部材５０を模式的に示す斜視図である。また、図１２（Ｂ）は、図１２（Ａ）に示す区画部材５０を別の方向から視た斜視図である。また、図１３は、図１２（Ａ）及び図１２（Ｂ）に示す区画部材５０がホルダー３０に嵌合している状態の一例を示す図である。本変形例に係る電気的接続装置は、上記第１実施形態に係る電気的接続装置１が有する各構成部品の他に、区画部材５０を有している。
【００９４】
区画部材５０は、ホルダー３０とは別体に構成された部材である。区画部材５０は、図１２（Ａ）、図１２（Ｂ）及び図１３に示すように、本体部５１及び突起部５２を有し、これらが一体に形成されている。
【００９５】
本体部５１は、上下方向に細長い直方体状に形成された中実状の部材である。突起部５２は、本体部５１の後側の壁面における下側の部分から後方へ突出するように設けられている。
【００９６】
本変形例では、区画部材５０がホルダー３０内に挿入される。具体的には、区画部材５０は、該区画部材５０の突起部５２が、該区画部材５０を挿入したい位置に設けられた一対の突起案内部３８の間に挿入されるように、ホルダー３０側へ押し込まれる。そうすると、区画部材５０は、一対の突起案内部３８によって下方へ真っ直ぐに案内された後、突起部５２がホルダー側ランス３３と係合する。これにより、区画部材５０がホルダー３０に対して嵌合し、ホルダー３０内のソケットハウジング収容空間Ｓが、右側空間ＳＲ及び左側空間ＳＬに区画される。
【００９７】
以上のように、本変形例によれば、ソケットハウジング２０をホルダー３０に収容する前に、ソケットハウジング収容空間Ｓ内における所定の位置に区画部材５０を収容することにより、ソケットハウジング収容空間Ｓを複数の空間ＳＲ，ＳＬに区画することができる。こうすると、例えば、ソケットハウジング収容空間Ｓ内におけるソケットハウジング２０を収容したくない部分を区画部材５０で埋めることができる。すなわち、本変形例によれば、ホルダー３０に対してソケットハウジング２０を誤った位置に嵌合してしまうことを防止できる。
【００９８】
なお、本変形例では、区画部材を、図１２（Ａ）及び図１２（Ｂ）に示すような上下方向に細長い直方体状に形成したが、これに限らず、ホルダー３０の開口部における一部分のみを覆うカバー状に形成してもよい。
【００９９】
（３）上述した実施形態では、コネクタ１０が複数のソケットハウジング２０及び１つのホルダー３０を有し、各ソケットハウジング２０が嵌合された状態のホルダー３０を相手側コネクタ２に嵌合することにより２つのコネクタ２，１０を電気的に接続する例を挙げて説明した。しかし、これに限らず、コネクタがホルダーを備えておらず、コネクタが有する複数のソケットハウジングを、直接、相手側コネクタに嵌合させるような構成を有する電気的接続装置を構成してもよい。この場合、ベースハウジングが第２ハウジングの機能を果たし、ベースハウジング内の空間が、第１ハウジング収容空間としての機能を果たすことになる。
【０１００】
（４）図１４（Ａ）は、変形例に係る電気的接続装置が有するソケットハウジング６０を２つ横に並べた図であり、図１４（Ｂ）は、図１４（Ａ）に示す２つのソケットハウジング６０を互いに係合した状態を示す図である。
【０１０１】
本変形例に係る各ソケットハウジング６０には、左右方向における一方側の面及び他方側の面のそれぞれに、凸部６１及び凹部６２のそれぞれが形成されている。凸部６１は、各ソケットハウジング６０における一方側の面から突出するように形成された部分である。凹部６２は、各ソケットハウジング６０の他方側の面において凹状に形成された部分である。凸部６１及び凹部６２は、側方から視て対応する位置に形成され、互いに相補的な形状を有している。すなわち、２つのソケットハウジング６０を左右方向において重ねると、凸部６１が凹部６２内に圧入される。これにより、２つのソケットハウジング６０が互いに対して係合する。なお、図１４（Ａ）及び図１４（Ｂ）では、２つのソケットハウジング６０を係合する例を挙げて説明しているが、本変形例に係るソケットハウジング６０によれば、３つ以上のソケットハウジング６０を左右方向に重ねて係合することができる。
【０１０２】
以上のように、本変形例のソケットハウジング６０によれば、ホルダー３０に収容すべき複数のソケットハウジング６０を、左右方向において予め係合した状態でホルダー３０内へ収容することができる。すなわち、本変形例によれば、各ソケットハウジングを別々にホルダー３０へ収容する場合と比べて、ソケットハウジングをホルダー３０内における誤った位置へ挿入してしまうことを防止できる。
【０１０３】
なお、本変形例では、複数のソケットハウジング６０を互いに係合するために凸部６１と凹部６２とを形成する例を挙げて説明したが、これに限らず、左右方向において２つのソケットハウジングを係合可能な形状であれば、どのような形状であってもよい。
【０１０４】
（５）上述した第１実施形態では、相手側コネクタ２が表面実装タイプのコネクタである例を挙げて説明したが、これに限らない。具体的には、相手側コネクタ２は、ディップタイプのコネクタであってもよい。また、上記実施形態では、本発明の適用例として、基板対電線のコネクタを例に挙げて説明したが、これに限らず、その他のコネクタに適用することもできる。例えば、電線対電線のコネクタに適用することもできる。
【０１０５】
（６）上述した実施形態では、図７及び図８を参照して、ソケットハウジング２０の突起部２５と、ホルダー３０に形成された片持ち梁状のホルダー側ランス３３とによって、ホルダー３０に対するソケットハウジング２０の抜けを防止したが、これに限らない。具体的には、例えば一例として、ソケットハウジング側に片持ち梁状のランスを設け且つホルダー側に突起部を設けることにより、ホルダーに対するソケットハウジングの抜けを防止してもよい。
【０１０６】
（７）上述した図９に示す変形例では、ソケットハウジング２０が前後方向に２列に整列された形態を例に説明した。しかしながら、これに限らない。例えば、ホルダー４０の仕切壁４９の一部を省略するとともに、仕切壁４９が省略された箇所に収容されるソケットハウジングを、２つのソケットハウジング２０が一体化された構成に相当するソケットハウジング（大ソケットハウジング）としてもよい。この場合、大ソケットハウジングとソケットハウジング２０とは、左右に交互に配置されてもよいし、大ソケットハウジングを左右に連続して並べるとともに、ソケットハウジング２０を左右に連続して並べてもよい。また、例えば、ホルダー４０の仕切壁４９の全てを省略するとともに、全てのソケットハウジングを大ソケットハウジングとしてもよい。
【０１０７】
＜第２実施形態＞
図１５は、本発明の第２実施形態に係る電気的接続装置１Ｄを示す斜視図である。図１６は、図１５に示す電気的接続装置１Ｄの断面図である。図１７は、図１５に示す電気的接続装置１Ｄの分解斜視図である。図１８は、図１７とは別の方向から見た電気的接続装置１Ｄの分解斜視図である。図１９は、図１７及び図１８とは別の方向から見た電気的接続装置１Ｄの分解斜視図である。図２０（Ａ）は、相手側コネクタ２Ｄの斜視図であり、図２０（Ｂ）は、相手側コネクタ２Ｄの平面図である。
【０１０８】
図１６を参照して、第２実施形態に係る電気的接続装置１Ｄは、複数の接続対象を、相手側コネクタ２Ｄが設けられている相手側接続対象（基板７０Ｄ）に電気的に接続するためのものである。第２実施形態においても、上下方向は、コネクタ１０Ｄの挿抜方向に対応している。
【０１０９】
電気的接続装置１Ｄは、コネクタ１０Ｄ及び相手側コネクタ２Ｄを備えている。電気的接続装置１Ｄでは、コネクタ１０Ｄを相手側コネクタ２Ｄに嵌合することにより、上述した複数の接続対象を相手側接続対象（基板７０Ｄ）に電気的に接続することができる。
【０１１０】
［相手側コネクタの構成］
図１６〜図２０（Ｂ）を参照して、相手側コネクタ２Ｄは、コネクタ１０Ｄのホルダー３０Ｄが嵌合するベースハウジング３と、複数のオス端子部９（相手側コンタクト部）とを有している。この相手側コネクタ２Ｄは、ディップ（Dual Inline Package）タイプのコネクタである。第２実施形態の相手側コネクタ２Ｄにおいては、各オス端子部９が直線状に延びており、各オス端子部９のうちベースハウジング３から突出した部分が、相手側接続対象としての基板７０Ｄに形成されたスルーホールに挿入された状態ではんだ付けされる。これにより、基板７０Ｄと各オス端子部９とが電気的且つ機械的に接続される。本実施形態では、コネクタ１０Ｄと相手側コネクタ２Ｄとが嵌合することにより、詳しくは後述する複数のメス端子部１１のそれぞれが、複数のオス端子部９のそれぞれと電気的に接続される。オス端子部９が直線状に形成され基板７０Ｄのスルーホールに固定されている点以外、相手側コネクタ２Ｄは、第１実施形態の相手側コネクタ２と同じ構成を有している。
【０１１１】
なお、電気的接続装置１Ｄは、ポッティングにも対応しており、相手側コネクタ２Ｄが基板７０Ｄに実装された状態において、基板表面をポッティング材で封止することができる。しかし、これに限らず、本実施形態に係る電気的接続装置１Ｄは、ポッティングに対応していない電気的接続装置であってもよい。
【０１１２】
［コネクタの構成］
コネクタ１０Ｄは、複数のメス端子部１１（コンタクト部）と、複数のソケットハウジング２０Ｄ（第１ハウジング）と、ホルダー３０Ｄ（第２ハウジング）とを有している。
【０１１３】
［メス端子部の構成］
メス端子部１１は、第１実施形態のメス端子部１１と同様の構成を有している。メス端子部１１は、上述のようにケーブルＣにかしめられた状態において、ソケットハウジング２０Ｄの収容空間に挿入されて固定される。具体的には、ケーブルＣにかしめられた状態のメス端子部１１の端子側ランス１５が、詳しくは後述するソケットハウジング２０Ｄのソケットハウジング側ランス２４Ｄと係合することにより、ソケットハウジング２０Ｄに対するメス端子部１１の抜けが防止される。
【０１１４】
［ソケットハウジングの構成］
図２１（Ａ）は、２極ソケットハウジング、３極ソケットハウジング、及び、４極ソケットハウジングをメス端子部１１の一部と併せて示す斜視図であり、図２１（Ｂ）は、図２１（Ａ）とは別の方向から見た２極ソケットハウジング、３極ソケットハウジング、及び、４極ソケットハウジングの斜視図である。
【０１１５】
図１６、図２１（Ａ）及び図２１（Ｂ）を参照して、ソケットハウジング２０Ｄは、絶縁性を有する樹脂材料によって、その内部にメス端子部１１を挿入可能な箱状に形成されている。ソケットハウジング２０Ｄは、ケーブルＣがかしめられたメス端子部１１を内部に収容した状態で相手側コネクタ２Ｄに嵌合されることにより、コネクタ１０Ｄ側に設けられた各接続対象を、相手側コネクタ２Ｄ側に設けられた相手側接続対象としての基板７０Ｄに接続することができる。
【０１１６】
本実施形態に係る電気的接続装置１Ｄは、４つのソケットハウジング２０Ｄを有している。具体的には、電気的接続装置１Ｄは、４つのソケットハウジング２０Ｄとして、２極ソケットハウジング２０Ｄ２を１つ、３極ソケットハウジング２０Ｄ３を２つ、４極ソケットハウジング２０Ｄ４を１つ、有している。
【０１１７】
２極ソケットハウジング２０Ｄ２は、内部に２つのメス端子部１１を収容可能なソケットハウジングである。２極ソケットハウジング２０Ｄ２は、角筒部２１Ｄと、区画壁２２Ｄと、底部２３Ｄとを有し、これらが一体に形成されている。
【０１１８】
角筒部２１Ｄは、上方から視て左右方向にやや長い長方形状に形成されているとともに、上下方向に延びる角筒状に形成されている。
【０１１９】
区画壁２２Ｄは、左右方向に厚みを有し且つ上下方向に延びる壁状の部分であって、角筒部２１Ｄ内の空間を複数の空間に区画している。２極ソケットハウジング２０Ｄ２では、角筒部２１Ｄの内部に１つの区画壁２２Ｄが設けられている。これにより、角筒部２１Ｄ内の空間には、上下方向に細長い２つの空間が形成される。この２つの空間は、それぞれ、ケーブルＣにかしめられたメス端子部１１が収容されるメス端子部収容空間ＳａＤとして設けられている。
【０１２０】
底部２３Ｄは、角筒部２１Ｄにおける下側の開口を覆うように設けられている。底部２３Ｄには、下方から視て、各メス端子部収容空間ＳａＤに対応する部分に、貫通孔２３ａＤが形成されている。電気的接続装置１Ｄでは、コネクタ１０Ｄが相手側コネクタ２Ｄに接続する際、相手側コネクタ２Ｄのオス端子部９の先端部分が、詳しくは後述する貫通孔３２ａＤ及びここで説明した貫通孔２３ａＤを貫通することにより、メス端子部１１のコンタクト部１４内に挿入される。これにより、各オス端子部９と各メス端子部１１とが接触するため、コネクタ１０Ｄと相手側コネクタ２Ｄとが電気的に接続される。
【０１２１】
また、２極ソケットハウジング２０Ｄ２には、ソケットハウジング側ランス２４Ｄが形成されている。ソケットハウジング側ランス２４Ｄは、角筒部２１Ｄにおける後側の壁部において形成された窪み状部分において、各メス端子部収容空間ＳａＤに対応する位置に形成されている。すなわち、２極ソケットハウジング２０Ｄには、２つのソケットハウジング側ランス２４Ｄが形成されている。ソケットハウジング側ランス２４Ｄは、上下方向に延びる片持ち梁状に形成され、その上側の部分が角筒部２１Ｄと一体に設けられている一方、その下側の部分が前後方向に撓むことが可能なように形成されている。コネクタ１０Ｄでは、ケーブルＣにかしめられた状態のメス端子部１１がメス端子部収容空間ＳａＤに収容される際、メス端子部１１Ｄの端子側ランス１５Ｄとソケットハウジング側ランス２４Ｄとが係合する。これにより、２極ソケットハウジング２０Ｄに対するメス端子部１１の抜けが防止される。
【０１２２】
また、２極ソケットハウジング２０Ｄには、ホルダー３０Ｄに係合するための下凸部７１Ｄ、下フック７２Ｄ、及び、上凸部７３Ｄが形成されている。
【０１２３】
２極ソケットハウジング２０Ｄの下凸部７１Ｄは、角筒部２１Ｄの底部２３Ｄの下端面における左右中央部の前部において、当該下端面から下方に突出する形状に形成されている。本実施形態では、下凸部７１Ｄは、矩形の薄板状に形成されている。
【０１２４】
２極ソケットハウジング２０Ｄの下フック７２Ｄは、角筒部２１Ｄの底部２３Ｄの下端面後部における左右全域において、当該下端面から後斜め下方に突出する形状に形成されている。
【０１２５】
２極ソケットハウジング２０Ｄの上凸部７３Ｄは、角筒部２１Ｄの上端面における前部において、左右方向の全域に亘って当該上端面から上方に突出する形状に形成されている。本実施形態では、上凸部７３Ｄは、左右方向に細長い矩形の薄板状に形成されている。
【０１２６】
３極ソケットハウジング２０Ｄ３は、内部に３つのメス端子部１１を収容可能なソケットハウジングである。３極ソケットハウジング２０Ｄ３は、角筒部２１Ｄと、区画壁２２Ｄと、底部２３Ｄとを有し、これらが一体に形成されている。
【０１２７】
３極ソケットハウジング２０Ｄ３の角筒部２１Ｄは、上方から視て左右方向に長い長方形状に形成されているとともに、上下方向に延びる角筒状に形成されている。３極ソケットハウジング２０Ｄ３の角筒部２１Ｄは、２極ソケットハウジング２０Ｄ２の角筒部２１よりも、左右方向に長い。
【０１２８】
３極ソケットハウジング２０Ｄ３の区画壁２２Ｄは、左右方向に厚みを有し且つ上下方向に延びる壁状の部分であって、角筒部２１Ｄ内の空間を複数の空間に区画している。３極ソケットハウジング２０Ｄ３では、角筒部２１Ｄの内部に２つの区画壁２２Ｄが設けられている。これにより、角筒部２１Ｄ内の空間には、上下方向に細長い３つの空間が形成される。この３つの空間は、それぞれ、ケーブルＣにかしめられたメス端子部１１が収容されるメス端子部収容空間ＳａＤとして設けられている。
【０１２９】
３極ソケットハウジング２０Ｄ３の底部２３Ｄは、角筒部２１Ｄにおける下側の開口を覆うように設けられている。下方から視た場合における３極ソケットハウジング２０Ｄ３の底部２３Ｄの左右方向における寸法は、２極ソケットハウジング２０Ｄ２の底部２３Ｄの左右方向における寸法よりも大きい。
【０１３０】
また、３極ソケットハウジング２０Ｄ３には、ソケットハウジング側ランス２４Ｄが形成されている。ソケットハウジング側ランス２４Ｄは、角筒部２１Ｄにおける後側の壁部において形成された窪み状部分において、各メス端子部収容空間ＳａＤに対応する位置に形成されている。すなわち、３極ソケットハウジング２０Ｄ３には、３つのソケットハウジング側ランス２４Ｄが形成されている。各ソケットハウジング側ランス２４Ｄの構成は、２極ソケットハウジング２０Ｄ２のソケットハウジング側ランス２４の構成と同じであるため、その説明を省略する。
【０１３１】
また、３極ソケットハウジング２０Ｄ３には、ホルダー３０Ｄに係合するための下凸部７１Ｄ、下フック７２Ｄ、及び、上凸部７３Ｄが形成されている。
【０１３２】
３極ソケットハウジング２０Ｄ３の下凸部７１Ｄは、角筒部２１Ｄの底部２３Ｄの下端面における左右中央部の前部において、当該下端面から下方に突出する形状に形成されている。本実施形態では、下凸部７１Ｄは、矩形の薄板状に形成されている。
【０１３３】
３極ソケットハウジング２０Ｄ３の下フック７２Ｄは、角筒部２１Ｄの底部２３Ｄの下端面後部における左右全域において、当該下端面から後斜め下方に突出する形状に形成されている。
【０１３４】
３極ソケットハウジング２０Ｄ３の上凸部７３Ｄは、角筒部２１Ｄの上端面における前部において、左右方向の全域に亘って当該上端面から上方に突出する形状に形成されている。本実施形態では、上凸部７３Ｄは、左右方向に細長い矩形の薄板状に形成されている。
【０１３５】
４極ソケットハウジング２０Ｄ４は、内部に４つのメス端子部１１を収容可能なソケットハウジングである。４極ソケットハウジング２０Ｄ４は、角筒部２１Ｄと、区画壁２２Ｄと、底部２３Ｄとを有し、これらが一体に形成されている。
【０１３６】
４極ソケットハウジング２０Ｄ４の角筒部２１Ｄは、上方から視て左右方向に長い長方形状に形成されているとともに、上下方向に延びる角筒状に形成されている。４極ソケットハウジング２０Ｄ４の角筒部２１Ｄは、３極ソケットハウジング２０Ｄ３の角筒部２１Ｄよりも、左右方向に長い。
【０１３７】
４極ソケットハウジング２０Ｄ４の区画壁２２Ｄは、左右方向に厚みを有し且つ上下方向に延びる壁状の部分であって、角筒部２１Ｄ内の空間を複数の空間に区画している。４極ソケットハウジング２０Ｄ４では、角筒部２１Ｄの内部に３つの区画壁２２Ｄが設けられている。これにより、角筒部２１Ｄ内の空間には、上下方向に細長い４つの空間が形成される。この４つの空間は、それぞれ、ケーブルＣにかしめられたメス端子部１１が収容されるメス端子部収容空間ＳａＤとして設けられている。
【０１３８】
４極ソケットハウジング２０Ｄ４の底部２３Ｄは、角筒部２１Ｄにおける下側の開口を覆うように設けられている。下方から視た場合における４極ソケットハウジング２０Ｄ４の底部２３Ｄの左右方向における寸法は、３極ソケットハウジング２０Ｄ２の底部２３Ｄの左右方向における寸法よりも大きい。
【０１３９】
また、４極ソケットハウジング２０Ｄ４には、ソケットハウジング側ランス２４Ｄが形成されている。ソケットハウジング側ランス２４Ｄは、角筒部２１Ｄにおける後側の壁部において形成された窪み状部分において、各メス端子部収容空間ＳａＤに対応する位置に形成されている。すなわち、４極ソケットハウジング２０Ｄ４には、４つのソケットハウジング側ランス２４Ｄが形成されている。各ソケットハウジング側ランス２４Ｄの構成は、２極ソケットハウジング２０Ｄ２のソケットハウジング側ランス２４の構成と同じであるため、その説明を省略する。
【０１４０】
また、４極ソケットハウジング２０Ｄ４には、ホルダー３０Ｄに係合するための下凸部７１Ｄ、下フック７２Ｄ、及び、上凸部７３Ｄが形成されている。
【０１４１】
４極ソケットハウジング２０Ｄ４の下凸部７１Ｄは、角筒部２１Ｄの底部２３Ｄの下端面における左右中央部の前部において、当該下端面から下方に突出する形状に形成されている。本実施形態では、下凸部７１Ｄは、矩形の薄板状に形成されている。
【０１４２】
４極ソケットハウジング２０Ｄ４の下フック７２Ｄは、角筒部２１Ｄの底部２３Ｄの下端面後部における左右全域において、当該下端面から後斜め下方に突出する形状に形成されている。
【０１４３】
４極ソケットハウジング２０Ｄ４の上凸部７３Ｄは、角筒部２１Ｄの上端面における前部において、左右方向の全域に亘って当該上端面から上方に突出する形状に形成されている。本実施形態では、上凸部７３Ｄは、左右方向に細長い矩形の薄板状に形成されている。
【０１４４】
［ホルダーの構成］
図２２（Ａ）は、ホルダー３０Ｄの斜視図であり、図２２（Ｂ）は、ホルダー３０Ｄの側面図であり、図２２（Ｃ）は、ホルダー３０Ｄを図２２（Ａ）とは別の方向から見た斜視図である。図２３（Ａ）は、ホルダー３０Ｄの正面図であり、図２３（Ｂ）は、ホルダー２０Ｄの平面図であり、図２３（Ｃ）は、ホルダー３０Ｄの底面図である。
【０１４５】
図１５、図１６、図１８、及び、図２２（Ａ）〜図２３（Ｃ）を参照して、ホルダー３０Ｄは、絶縁性を有する樹脂材料によって形成されていて、左右方向に細長い形状に形成されている。
【０１４６】
ホルダー３０Ｄは、ホルダー本体部３１Ｄと、ロック爪３４Ｄと、を有し、これらが一体に形成されている。
【０１４７】
ホルダー本体部３１Ｄの形状は、概ね、左右に細長い中空直方体の上面及び後面を省略した形状を有している。ホルダー本体部３１Ｄは、底部３２Ｄと、一対の端部７５Ｄと、前部７６Ｄと、を有している。ホルダー本体部３１Ｄは、底部３２Ｄの一縁部としての後縁部３２ｂＤ側がホルダー３０Ｄの外部に開放された形状に形成されている。
【０１４８】
底部３２Ｄは、左右に細長く上下に薄い平板状に形成された部分である。ホルダー本体部３１Ｄの底部３２Ｄには、左右方向に等間隔に複数の（本実施形態の場合、１２個の）貫通孔３２ａＤが形成されている。電気的接続装置１Ｄでは、コネクタ１０Ｄが相手側コネクタ２Ｄに接続される際、相手側コネクタ２Ｄのオス端子部９の先端部分が、ここで説明した貫通孔３２ａＤ及び上述した貫通孔２３ａＤを貫通することにより、オス端子部９がメス端子部１１のコンタクト部１４内に挿入される。これにより、各オス端子部９と各メス端子部１１とが接触するため、コネクタ１０Ｄと相手側コネクタ２Ｄとが電気的に接続される。また、底部３２Ｄの前後方向中間部には、ソケットハウジング２０Ｄの下凸部７１Ｄに係合するための係合孔部７７Ｄが形成されている。係合孔部７７Ｄは、底部３２Ｄを上下に貫通し左右方向に延びる孔部分であり、左右方向における底部３２Ｄの両端部を除く領域に形成されている。底部３２Ｄの左右両端に、端部７５Ｄが設けられている。
【０１４９】
端部７５Ｄは、左右方向と直交するように延びる矩形板状部分であり、底部３２Ｄから上方に延びている。端部７５Ｄは、相手側コネクタ２Ｄのベースハウジング３内の左右両端部に配置される。
【０１５０】
前部７６Ｄは、前後方向と直交するように延びる矩形状部分であり、底部３２Ｄの前端から上方に延びている。前部７６Ｄの左右両端部は、端部７５Ｄと連続している。そして、前部７６Ｄのうち、左右方向両端部以外の箇所は、端部７５Ｄに対して上方に延びている。そして、前部７６Ｄの上端部は、上フック７８Ｄを含んでいる。上フック７８Ｄは、左右方向から見てＪ字状に形成されている。上フック７８Ｄは、底部３２Ｄ側と向かい合う窪みを有しており、この窪んだ箇所が支点部７９Ｄを含んでいる。この上フック７８Ｄの支点部７９Ｄは、ソケットハウジング２０Ｄの上凸部７３Ｄが挿入されることで、ソケットハウジング２０Ｄを保持する。前部７６Ｄの前面の左右両側部には、ホルダー側凹部８０Ｄが形成されている。ホルダー側凹部８０Ｄは、相手側コネクタ２Ｄのベースハウジング３に形成された案内部６（図２０（Ａ），図２０（Ｂ））に嵌合する窪み状の部分として設けられている。
【０１５１】
本実施形態では、前部７６Ｄと、端部７５Ｄと、底部３２Ｄとによって、ホルダー本体部３１Ｄの内部に、複数のソケットハウジング２０Ｄを収容可能な１つのソケットハウジング収容空間ＳＤ（第１ハウジング収容空間）が形成されている。言い換えれば、ホルダー本体部３１Ｄの内部には、該ホルダー３０Ｄの内部の空間である１つのソケットハウジング収容空間ＳＤを複数の空間に区画する区画壁は形成されていない。ソケットハウジング収容空間ＳＤは、一対の端部７５Ｄと、底部３２Ｄと、前部７６Ｄとで囲まれた空間である。底部３２Ｄの後縁部３２ｂＤからホルダー３０Ｄのソケットハウジング収容空間ＳＤ内へ向かう方向に沿う方向が、ホルダー３０Ｄに対するソケットハウジング２０Ｄの着脱方向ＡＤとして規定されている。この着脱方向ＡＤは、支点部７９Ｄ回りの方向を含んでいる。
【０１５２】
ロック爪３４Ｄは、撓み部３５Ｄと、突出部３６Ｄと、操作部３７Ｄとを有し、これらが一体に形成されている。
【０１５３】
撓み部３５Ｄは、上下方向に延びる片持ち梁状に形成された部分である。撓み部３５Ｄは、下側の部分がホルダー本体部３１Ｄの前部７６Ｄと一体に形成されている一方、上側の部分が、ホルダー本体部３１Ｄの前部７６Ｄから離隔して設けられている。突出部３６Ｄは、撓み部３５Ｄにおける上側の部分から前方へ突出するように設けられている。突出部３６Ｄは、前方から視て、左右方向に細長い長方形状に形成されている。操作部３７Ｄは、撓み部３５における上端部分から前方へ膨出するように設けられた部分である。
【０１５４】
電気的接続装置１Ｄにおいて、コネクタ１０Ｄが相手側コネクタ２Ｄと嵌合した状態では、ロック爪３４Ｄの突出部３６Ｄがベースハウジング３のロック爪用貫通孔５ａ内に入り込んでいる。これにより、相手側コネクタ２Ｄに対するコネクタ１０Ｄの抜けを防止することができる。また、電気的接続装置１Ｄにおいて、コネクタ１０Ｄを相手側コネクタ２Ｄから外す際には、ロック爪３４Ｄの操作部３７Ｄを押圧してロック爪３４Ｄの突出部３６Ｄをロック爪用貫通孔５ａから外した状態で、コネクタ１０Ｄを上方へ引き抜けばよい。これにより、コネクタ１０Ｄを相手側コネクタ２Ｄから外すことができる。
【０１５５】
［コネクタにおける各部品の組立工程］
コネクタ１０Ｄにおける各部品の組立工程では、まず、図１６及び図１７等を参照して、ケーブルＣにかしめられた各メス端子部１１が、対応するソケットハウジング２０Ｄに形成されたメス端子部収容空間ＳａＤに挿入される。具体的には、メス端子部１１がメス端子部収容空間ＳａＤ側へ挿入されて押し込まれると、端子側ランス１５とソケットハウジング側ランス２４Ｄとが係合する。そうすると、ケーブルＣを上方へ引っ張るなどしてメス端子部１１をソケットハウジング２０Ｄから引き抜こうとしても、端子側ランス１５がソケットハウジング側ランス２４Ｄに引っ掛かる。これにより、ソケットハウジング２０Ｄに対するメス端子部１１の抜けを防止できる。
【０１５６】
次に、メス端子部１１を収容した各ソケットハウジング２０Ｄが、ホルダー３０Ｄへ取り付けられる。具体的には、ソケットハウジング２０Ｄをホルダー３０Ｄに着脱する動作を説明するための一部断面図である図２４（Ａ）及び図２４（Ｂ）を参照して、ホルダー３０Ｄへソケットハウジング２０Ｄを取り付ける際には、まず、例えば作業員が指でソケットハウジング２０Ｄを保持し、ソケットハウジング２０Ｄをホルダー３０Ｄに対して前斜め上に傾ける。そして、この姿勢のソケットハウジング２０Ｄの上凸部７３Ｄを、ホルダー３０Ｄの上フック７８Ｄの支点部７９Ｄに嵌める。次に、ソケットハウジング２０Ｄの先端部（図２４（Ａ）の下部）をホルダー３０Ｄの底部３２Ｄに擦らせながら着脱方向ＡＤに沿って前部７６Ｄ側へ押し込む。すると、図２４（Ｂ）に示すように、ソケットハウジング２０Ｄの下凸部７１Ｄがホルダー３０Ｄの底部３２Ｄの係合孔部７７Ｄに嵌まる。このとき、ソケットハウジング２０Ｄは、ホルダー３０Ｄの前部７６Ｄの後面に受けられるとともに、ソケットハウジング２０Ｄの下フック７２Ｄは、底部３２Ｄの後方に位置してこの底部３２Ｄの後縁部３２ｂＤに受けられている。この構成により、ソケットハウジング２０Ｄは、ホルダー３０Ｄに上下に挟まれ、さらに、前方からホルダー３０Ｄの前部７６Ｄに受けられるとともに下フック７２Ｄと底部３２Ｄとの係合によって、前後に位置決めされる。なお、ソケットハウジング２０Ｄは、ホルダー３０Ｄに取り付けられる前に左右方向の位置合わせを作業員によって行われた後に、ホルダー３０Ｄに取り付けられる。そして、ホルダー３０Ｄに取り付けられた後のソケットハウジング２０Ｄから延びるケーブルＣは、上フック７８Ｄをさけた箇所からソケットハウジング２０Ｄから突出しており、ホルダー３０Ｄが邪魔にはならない。
【０１５７】
［１つのホルダーに対する複数のソケットハウジングの嵌合組合せについて］
なお、図１７に示すように、一例として、左から順に、２極のソケットハウジング２０Ｄ２、３極のソケットハウジング２０Ｄ３、４極のソケットハウジング２０Ｄ４、及び、３極のソケットハウジング２０Ｄ３が、左右方向に並べられる。そして、これらのソケットハウジング２０Ｄ２，２０Ｄ３，２０Ｄ４は、ソケットハウジング収容空間ＳＤ内でこの順に配置される。但し、ソケットハウジング２０Ｄ２，２０Ｄ３，２０Ｄ４の個数及び左右の配置順は、上述の例示に限定されず、合計で１２極以内であれば、任意の組み合わせが可能である。具体的には、例えば４極ソケットハウジング２０Ｄ４を３つ、ホルダー３０Ｄに嵌合させることも可能となり、或いは、２極ソケットハウジング２０Ｄ２を６つ、ホルダー３０Ｄに嵌合させることも可能となる。また、本実施形態によれば、４つのソケットハウジング２０Ｄについて、左右における順番を並び替えることも可能となる。
【０１５８】
このように、本実施形態に係る電気的接続装置１Ｄのホルダー３０Ｄは、複数のソケットハウジング２０Ｄを収容可能なソケットハウジング収容空間ＳＤを有しているため、該ホルダー３０Ｄに収容されるソケットハウジング２０Ｄの個数、極数、或いは収容される位置を、ソケットハウジング収容空間ＳＤの範囲内において、自由に設定することができる。すなわち、本実施形態によれば、ホルダー３０Ｄに対するソケットハウジング２０Ｄの配置自由度を向上することができるため、汎用性に優れた電気的接続装置を提供できる。
【０１５９】
ホルダー３０Ｄへのソケットハウジング２０Ｄの組み付けが完了した後は、これらホルダー３０Ｄ及びソケットハウジング２０Ｄのアセンブリは、相手側ベースハウジング３に挿入される。具体的には、図１６を参照して、ホルダー３０Ｄの前部７６Ｄがベースハウジング３の前壁部５に向かい合うようにして、ホルダー３０Ｄが相手側ベースハウジング３に挿入される。これにより、複数のソケットハウジング２０Ｄは、一括して相手側ベースハウジング３の後壁部に向かい合うように相手側ベースハウジング３に挿入される。また、ホルダー３０Ｄの底部３２Ｄは、相手側ベースハウジング３の底壁に受けられる。さらに、ホルダー３０Ｄの左右一対の端部７５Ｄは、相手側ベースハウジング３の一対の端壁の内側面に沿わされる。この状態で、ロック爪３４Ｄが相手側ベースハウジング３の貫通孔５ａに係合することで、ホルダー３０Ｄは、相手側ベースハウジング３にロックされる。
【０１６０】
なお、ソケットハウジング２０Ｄをホルダー３０Ｄから取り外す際には、図２４（Ａ）及び図２４（Ｂ）を参照して、作業員は、ソケットハウジング２０Ｄの下フック７２Ｄを指に掛けてソケットハウジング２０Ｄの先端部（図２４（Ｂ）の下部）を後方へずらす。これにより、ソケットハウジング２０Ｄは、図２４（Ａ）に示すように、上凸部７３Ｄ（支点部７９Ｄ）を支点にして着脱方向ＡＤに沿って後方へずれるように移動する。このとき、ソケットハウジング２０Ｄの下凸部２０Ｄは、ホルダー３０Ｄの係合孔部７７Ｄを乗り上げた後、底部３２Ｄを擦りながら後方へ変位する。そして、ソケットハウジング２０Ｄの上凸部７３Ｄがホルダー３０Ｄの上フック７８Ｄから取り外されると、ソケットハウジング２０Ｄとホルダー３０Ｄとの結合が解除される。
【０１６１】
［効果］
以上のように、本実施形態に係る電気的接続装置１Ｄでは、それぞれにケーブルＣが接続される少なくとも１つのメス端子部１１がソケットハウジング２０Ｄ内に収容される。そしてそのようにして少なくとも１つのメス端子部１１が収容されたソケットハウジング２０Ｄが複数、ホルダー３０Ｄに収容される。このようにして複数のソケットハウジング２０Ｄが収容されたホルダー３０Ｄが相手側コネクタ２Ｄのベースハウジング３に嵌合することにより、複数のメス端子部１１のそれぞれを、対応するオス端子部９と電気的に接続することができる。これにより、複数の接続対象（第１から第４の接続対象）を、相手側接続対象（基板６０Ｄ）へ電気的に接続することができる。
【０１６２】
そして、電気的接続装置１Ｄでは、ホルダー３０Ｄに、複数のソケットハウジング２０Ｄを収容可能なソケットハウジング収容空間ＳＤが形成されている。こうすると、例えば、ソケットハウジング収容空間ＳＤ内における複数のソケットハウジング２０Ｄの配置自由度を高めることができる。具体的には、本実施形態のように、ホルダー３０Ｄに、合計で１２個のメス端子部１１を収容可能なソケットハウジング収容空間ＳＤを形成した場合、このソケットハウジング収容空間ＳＤには、２極ソケットハウジング２０Ｄ２を１つ、３極ソケットハウジング２０Ｄ３を２つ、及び４極ソケットハウジング２０Ｄ４を１つ、収容することができる。また、このソケットハウジング収容空間ＳＤには、２極ソケットハウジング２０Ｄ２を６つ収容することもできる。或いは、ソケットハウジング収容空間ＳＤ内においてソケットハウジング２０Ｄが収容されないデッドスペースが生じるものの、ソケットハウジング収容空間ＳＤに、２極ソケットハウジング２０Ｄ２を５つ収容することもできる。すなわち、電気的接続装置１Ｄによれば、相手側コネクタ２Ｄに接続される複数の接続対象の極数が設計変更等によって変更した場合であっても、同じホルダー３０Ｄを用いることができる。
【０１６３】
従って、電気的接続装置１Ｄによれば、汎用性の高い電気的接続装置を提供できる。
【０１６４】
また、電気的接続装置１Ｄによると、ソケットハウジング２０Ｄをホルダー３０Ｄに対して支点部７９Ｄ回りに回転させて底部３２Ｄの後縁部３２ｂＤ側から出し入れするという簡易な方法で、ソケットハウジング２０Ｄをホルダー３０Ｄに着脱できる。
【０１６５】
また、電気的接続装置１Ｄによると、ホルダー３０Ｄの後部には、側壁（上下方向に延びる壁）が設けられていない。このため、ホルダー３０Ｄの小型化を通じてコネクタ１０Ｄをより小型化できる。その上、ソケットハウジング２０Ｄをホルダー３０Ｄから取り外す際に、ホルダー３０Ｄから露出している下フック７２Ｄを指等で操作することで、この取り外し作業を極めて容易に行うことができる。第１実施形態では、ソケットハウジング２０をホルダー３０から取り外す際には、ソケットハウジング２０とホルダー３０との結合部（突起部２５及びホルダー側ランス３３）の互いの結合を解除するための工具が必要であった。しかしながら、電気的接続装置１Ｄでは、このような工具が不要であり、メンテナンス等のためにソケットハウジング２０Ｄをホルダー３０Ｄから取り外す作業をより容易に行うことができる。
【０１６６】
＜第３実施形態＞
図２５は、本発明の第３実施形態に係る電気的接続装置１Ｅを示す斜視図である。図２６は、図２５に示す電気的接続装置１Ｅを前後方向に見た断面図である。図２７は、図２５に示す電気的接続装置１Ｅを左右方向に見た断面図である。図２８は、図２５に示す電気的接続装置１Ｅの分解斜視図である。図２９は、図２８とは別の方向から見た電気的接続装置１Ｅの分解斜視図である。図３０（Ａ）は、相手側コネクタ２Ｅの斜視図であり、図３０（Ｂ）は、相手側コネクタ２Ｅの平面図である。
【０１６７】
図２５〜図３０（Ｂ）を参照して、第３実施形態に係る電気的接続装置１Ｅは、複数の接続対象を、相手側コネクタ２Ｅが設けられている側の接続対象に電気的に接続するためのものである。第３実施形態においても、上下方向は、コネクタ１０Ｅの挿抜方向に対応している。第２実施形態に係る電気的接続装置１Ｄは、ソケットハウジング２０Ｄを１列に配置する形態であったのに対して、第３実施形態に係る電気的接続装置１Ｅは、ソケットハウジング２０Ｄを前後２列に配置する形態である。
【０１６８】
電気的接続装置１Ｅは、コネクタ１０Ｅ及び相手側コネクタ２Ｅを備えている。電気的接続装置１Ｅでは、コネクタ１０Ｅを相手側コネクタ２Ｅに嵌合することにより、上述した複数の接続対象を相手側接続対象に電気的に接続することができる。
【０１６９】
［相手側コネクタの構成］
相手側コネクタ２Ｅは、コネクタ１０Ｅのホルダー３０Ｅが嵌合するベースハウジング３Ｅと、複数のオス端子部９（相手側コンタクト部）とを有している。この相手側コネクタ２Ｅは、ディップ（Dual Inline Package）タイプのコネクタである。本実施形態では、コネクタ１０Ｅと相手側コネクタ２Ｅとが嵌合することにより、詳しくは後述する複数のメス端子部１１のそれぞれが、複数のオス端子部９のそれぞれと電気的に接続される。
【０１７０】
［ベースハウジングの構成］
ベースハウジング３Ｅは、左右方向に細長く、上方に開口する開口部が形成された略箱状の部材である。ベースハウジング３Ｅは、絶縁性を有する樹脂材料によって構成されている。ベースハウジング３Ｅの底部４Ｅには、オス端子部９における先端側の部分が挿通される複数の（本実施形態の場合、１２個の）貫通孔４ａＥが形成されている。これら複数の貫通孔４ａＥは、前後に２列に配置され、左右方向に沿って等間隔に並んでいる。
【０１７１】
ベースハウジング３Ｅの左右両端部の内側面の上部には、係合孔５ａＥが形成されている。係合孔５ａＥは、左右方向に細長い矩形の窪み状に形成されている。この係合孔５ａＥは、コネクタ１０Ｅが相手側コネクタ２Ｅに嵌合した状態において、コネクタ１０Ｅのホルダー３０Ｅに形成されたロック爪３４Ｅの突出部３６Ｅが嵌まり込むロック爪用係合孔５ａＥとして設けられている。
【０１７２】
また、ベースハウジング３Ｅの後部の内側面には、左右一対の案内凹部４ｂＥが形成されている。各案内凹部４ｂＥは、上下に延びる凹条部分である。
【０１７３】
なお、電気的接続装置１Ｅは、ポッティングにも対応しており、相手側コネクタ２Ｅが基板７０Ｄに実装された状態において、基板表面をポッティング材で封止することができる。しかし、これに限らず、本実施形態に係る電気的接続装置１Ｅは、ポッティングに対応していない電気的接続装置であってもよい。
【０１７４】
［コネクタの構成］
コネクタ１０Ｅは、複数のメス端子部１１（コンタクト部）と、複数のソケットハウジング２０Ｄ（第１ハウジング）と、ホルダー３０Ｅ（第２ハウジング）とを有している。すなわち、第３実施形態のコネクタ１０Ｅと第２実施形態のコネクタ１０Ｄとは、ホルダーの構成が異なっている。
【０１７５】
［ソケットハウジングの構成］
ソケットハウジング２０Ｄは、ケーブルＣがかしめられたメス端子部１１を内部に収容した状態で相手側コネクタ２Ｅに嵌合されることにより、コネクタ１０Ｅ側に設けられた各接続対象を、相手側コネクタ２Ｅ側に設けられた相手側接続対象としての基板７０Ｄに接続することができる。
【０１７６】
本実施形態に係る電気的接続装置１Ｅは、４つのソケットハウジング２０Ｄを有している。具体的には、電気的接続装置１Ｄは、４つのソケットハウジング２０Ｄとして、２極ソケットハウジング２０Ｄ２を１つ、３極ソケットハウジング２０Ｄ３を２つ、４極ソケットハウジング２０Ｄ４を１つ、有している。
【０１７７】
［ホルダーの構成］
図３１（Ａ）は、ホルダー３０Ｅの斜視図であり、図３１（Ｂ）は、ホルダー３０Ｅの側面図であり、図３１（Ｃ）は、ホルダー３０Ｅを図３１（Ａ）とは別の方向から見た斜視図である。図３２（Ａ）は、ホルダー３０Ｅの正面図であり、図３２（Ｂ）は、ホルダー３０Ｅの底面図であり、図３２（Ｃ）は、ホルダー３０Ｅの平面図である。
【０１７８】
図２５〜図２９、及び、図３１（Ａ）〜図３２（Ｃ）を参照して、ホルダー３０Ｅは、絶縁性を有する樹脂材料によって形成されていて、左右方向に細長い形状に形成されている。
【０１７９】
ホルダー３０Ｅは、ホルダー本体部３１Ｅと、一対のロック爪３４Ｅと、を有し、これらが一体に形成されている。
【０１８０】
ホルダー本体部３１Ｅの形状は、概ね、左右に細長い中空直方体の上面、前面及び後面を省略した形状を有している。ホルダー本体部３１Ｅは、底部３２Ｅと、中部７４Ｅと、一対の端部７５Ｅと、を有している。ホルダー本体部３１Ｅは、底部３２Ｅの一縁部としての後縁部３２ｂＥ側及び前縁部３２ｃＥ側がそれぞれホルダー３０Ｅの外部に開放された形状に形成されている。
【０１８１】
底部３２Ｅは、左右に細長く上下に薄い平板状に形成された部分である。ホルダー本体部３１Ｅの底部３２Ｅにおける中部７４Ｅの後方には、左右方向に等間隔に複数の（本実施形態の場合、６個の）貫通孔３２ａＥが形成されている。同様に、ホルダー本体部３１Ｅの底部３２Ｅにおける中部７４Ｅの前方には、左右方向に等間隔に複数の（本実施形態の場合、６個の）貫通孔３２ａＥが形成されている。このように、底部３２Ｅには、前後２列に貫通孔３２ａＥが形成されている。電気的接続装置１Ｅでは、コネクタ１０Ｅが相手側コネクタ２Ｅに接続する際、相手側コネクタ２Ｅのオス端子部９の先端部分が、ここで説明した貫通孔３２ａＥ及び上述した貫通孔２３ａＤを貫通することにより、オス端子部９がメス端子部１１のコンタクト部１４内に挿入される。これにより、各オス端子部９と各メス端子部１１とが接触するため、コネクタ１０Ｅと相手側コネクタ２Ｅとが電気的に接続される。また、底部３２Ｅの前後方向中間部において、中部７４Ｅの前方及び後方のそれぞれには、ソケットハウジング２０Ｄの下凸部７１Ｄに係合するための係合孔部７７Ｅが形成されている。係合孔部７７Ｅは、底部３２Ｅを貫通し左右方向に延びる孔部分であり、左右方向における底部３２Ｅの両端部を除く領域に形成されている。底部３２Ｅの左右両端に、端部７５Ｅが設けられている。
【０１８２】
端部７５Ｅは、左右方向と直交するように延びる矩形板状部分であり、底部３２Ｅから上方に延びている。端部７５Ｅは、相手側コネクタ２Ｅのベースハウジング３Ｅの左右両端部に嵌合される。各端部７５Ｅの後部から、係合凸部７５ａＥが延びている。各係合凸部７５ａＥは、上下に延びる凸条であり、ベースハウジング３Ｅの対応する案内凹部４ｂＥに挿入される。案内凹部４ｂＥがベースハウジング３Ｅの前部には設けられていない結果、ホルダー３０Ｅの係合凸部７５ａＥをベースハウジング３Ｅの前部に挿入することができない。これにより、ホルダー３０Ｅがベースハウジング３Ｅに前後逆さに取り付けられることを防止できる。
【０１８３】
中部７４Ｅは、前後方向と直交するように延びる矩形状部分であり、底部３２Ｅの前後方向中央部から上方に延びている。中部７４Ｅの左右両端部は、端部７５Ｅと連続している。そして、中部７４Ｅのうち、左右方向両端部以外の箇所は、端部７５Ｅに対して上方に延びている。そして、中部７４Ｅの上端部は、一対の上フック７８Ｅ（７８１Ｅ，７８２Ｅ）を含んでいる。各上フック７８Ｅは、左右方向から見てＪ字状に形成されており、一対の上フック７８１Ｅ，７８２Ｅが全体としてＴ字状に形成されている。各上フック７８Ｅは、底部３２Ｅ側と向かい合う窪みを有しており、この窪んだ箇所が支点部７９Ｅを含んでいる。各支点部７９Ｅは、対応するソケットハウジング２０Ｄの上凸部７３Ｄを挿入されることで、ソケットハウジング２０Ｄを保持する。
【０１８４】
本実施形態では、底部３２Ｅと、中部７４Ｅと、一対の端部７５Ｅとによって、ホルダー本体部３１Ｅ内部に、複数のソケットハウジング２０Ｄを収容可能な２つのソケットハウジング収容空間ＳＥ（第１ハウジング収容空間、ＳＥ１，ＳＥ２）が形成されている。言い換えれば、ホルダー本体部３１Ｅの内部には、該ホルダー３０Ｅの内部の空間を２つのソケットハウジング収容空間ＳＥに区画する区画壁としての中部７４Ｅが形成されている。ソケットハウジング収容空間ＳＥは、底部３２Ｅと、中部７４Ｅと、一対の端部７５Ｅとで囲まれた空間である。一例として、前側のソケットハウジング収容空間ＳＥ１は、２極のソケットハウジング２０Ｄ４と４極のソケットハウジング２０Ｄ４とを横並びで収容している。また、後側のソケットハウジング収容空間ＳＥ２は、２つの３極のソケットハウジング２０Ｄ３を横並びで収容している。
【０１８５】
底部３２Ｅの前縁部３２ｃＥからホルダー３０Ｅの一方の収容空間ＳＥ１内へ向かう方向に沿う方向が、ホルダー３０Ｅに対するソケットハウジング２０Ｄの着脱方向ＡＥ１として規定されている。この着脱方向ＡＥ１は、前側の上フック７８１Ｅの支点部７９Ｅ回りの方向を含んでいる。同様に、底部３２Ｅの後縁部３２ｂＥからホルダー３０Ｅの他方の収容空間ＳＥ２内へ向かう方向に沿う方向が、ホルダー３０Ｅに対するソケットハウジング２０Ｄの着脱方向ＡＥ２として規定されている。この着脱方向ＡＥ２は、後側の上フック７８２Ｅの支点部７９Ｅ回りの方向を含んでいる。
【０１８６】
一対のロック爪３４Ｅは、それぞれ、撓み部３５Ｅと、突出部３６Ｅと、操作部３７Ｅとを有し、これらが一体に形成されている。
【０１８７】
撓み部３５Ｅは、上下方向に延びる片持ち梁状に形成された部分である。撓み部３５Ｅは、下側の部分がホルダー本体部３１Ｅの対応する端部７５Ｅと一体に形成されている一方、上側の部分が、ホルダー本体部３１Ｅの対応する端部７５Ｅから離隔して設けられている。突出部３６Ｅは、撓み部３５Ｅにおける上側の部分から左右方向の外側へ突出するように設けられている。突出部３６Ｅは、前後方向に細長い凸条に形成されている。操作部３７Ｅは、撓み部３５Ｅにおける上端部分から左右方向の外側へ膨出するように設けられた部分である。
【０１８８】
電気的接続装置１Ｅにおいて、コネクタ１０Ｅが相手側コネクタ２Ｅと嵌合した状態では、ロック爪３４Ｅの各突出部３６Ｅがベースハウジング３Ｅの対応するロック爪用係合孔５ａＥ内に入り込んでいる。これにより、相手側コネクタ２Ｅに対するコネクタ１０Ｅの抜けを防止することができる。また、電気的接続装置１Ｅにおいて、コネクタ１０Ｅを相手側コネクタ２Ｅから外す際には、ロック爪３４Ｅの操作部３７Ｅを押圧してロック爪３４Ｅの突出部３６Ｅをロック爪用係合孔５ａＥから外した状態で、コネクタ１０Ｅを上方へ引き抜けばよい。これにより、コネクタ１０Ｅを相手側コネクタ２Ｅから外すことができる。
【０１８９】
［コネクタにおける各部品の組立工程］
コネクタ１０Ｄにおける各部品の組立工程では、まず、図２７及び図２８を参照して、ケーブルＣにかしめられた各メス端子部１１が、ソケットハウジング２０Ｄに形成された各メス端子部収容空間ＳａＤに挿入される。これにより、メス端子部１１は、対応するソケットハウジング２０Ｄに取り付けられる。
【０１９０】
次に、メス端子部１１を収容した各ソケットハウジング２０Ｄが、ホルダー３０Ｅへ取り付けられる。具体的には、ソケットハウジング２０Ｄをホルダー３０Ｅに着脱する動作を説明するための一部断面図である図３３（Ａ）及び図３３（Ｂ）を参照して、ホルダー３０Ｅの一方のソケットハウジング収容空間ＳＥ１へソケットハウジング２０Ｄを取り付ける際には、まず、例えば、作業員が指でソケットハウジング２０Ｄを保持し、ソケットハウジング２０Ｄをホルダー３０Ｅに対して後斜め上に傾ける。そして、この姿勢のソケットハウジング２０Ｄの上凸部７３Ｄを、ホルダー３０Ｄの前側の上フック７８１Ｅにおける支点部７９Ｅに嵌める。次に、ソケットハウジング２０Ｄの先端部（図３３（Ａ）の下部）をホルダー３０Ｅの底部３２Ｅに擦らせながら着脱方向ＡＥ１に沿って後方へ押し込む。すると、図３３（Ｂ）に示すように、ソケットハウジング２０Ｄの下凸部７１Ｄがホルダー３０Ｅの底部３２Ｅの係合孔部７７Ｅに嵌まる。このとき、ソケットハウジング２０Ｄは、ホルダー３０Ｅの中部７４Ｅに受けられるとともに、ソケットハウジング２０Ｄの下フック７２Ｄは、底部３２Ｅの前方に位置してこの底部３２Ｅの前縁部３２ｃＥに受けられている。この構成により、ソケットハウジング２０Ｄは、ホルダー３０Ｅに上下に挟まれ、さらに、中部７４Ｅに受けられるとともに下フック７２Ｄと底部３２Ｅとの係合によって、前後に位置決めされる。なお、ソケットハウジング２０Ｄは、ホルダー３０Ｅに取り付けられる前に左右方向の位置合わせを作業員によって行われた後に、ホルダー３０Ｅに取り付けられる。そして、ホルダー３０Ｅに取り付けられた後のソケットハウジング２０Ｄから延びるケーブルＣは、上フック７８１Ｅをさけた箇所からソケットハウジング２０Ｄから突出しており、ホルダー３０Ｅが邪魔にはならない。
【０１９１】
また、ホルダー３０Ｅの他方のソケットハウジング収容空間ＳＥ２へソケットハウジング２０Ｄを取り付ける際には、まず、ソケットハウジング２０Ｄをホルダー３０Ｅに対して前斜め上に傾ける。そして、この姿勢のソケットハウジング２０Ｄの上凸部７３Ｄを、ホルダー３０Ｅの後側の上フック７８２Ｅにおける支点部７９Ｅに嵌める。この後の動作は、ホルダー３０Ｅの一方のソケットハウジング収容空間ＳＥ１へソケットハウジング２０Ｄを取り付ける動作と同様であるので、説明を省略する。
【０１９２】
［１つのホルダーに対する複数のソケットハウジングの嵌合組合せについて］
なお、前述したように、図２８に示すように、一例として、一方のソケットハウジング収容空間ＳＥ１に２極のソケットハウジング２０Ｄ２及び４極のソケットハウジング２０Ｄ４を収容し、他方のソケットハウジング収容空間ＳＥ２に２つの３極ソケットハウジング２０Ｄ３を収容する形態を例に説明した。但し、ソケットハウジング２０Ｄ２，２０Ｄ３，２０Ｄ４の個数及び左右の配置順は、上述の例示に限定されず、合計で１２極以内であれば、任意の組み合わせが可能である。
【０１９３】
ホルダー３０Ｅへのソケットハウジング２０Ｄの組み付けが完了した後は、これらホルダー３０Ｅ及びソケットハウジング２０Ｄのアセンブリは、相手側ベースハウジング３Ｅに挿入される。具体的には、ホルダー３０Ｅの一対の端部７５Ｅがベースハウジング３Ｅの対応する左右一対の端部に沿わされるように、ホルダー３０Ｅが相手側ベースハウジング３Ｅに挿入される。このとき、一対の端部７５Ｅの挿入凸部７５ａＥがベースハウジング３Ｅの対応する案内凹部４ｂＥに挿入されるように、ホルダー３０Ｅはベースハウジング３Ｅに挿入される。この状態で、各ロック爪３４Ｅが相手側ベースハウジング３Ｅの対応する係合孔５ａＥに係合することで、ホルダー３０Ｅは、相手側ベースハウジング３Ｅにロックされる。
【０１９４】
なお、ソケットハウジング２０Ｄをホルダー３０Ｅから取り外す動作は、第２実施形態におけるソケットハウジング２０Ｄをホルダー３０Ｄから取り外す動作と同様であるので、説明を省略する。
【０１９５】
［効果］
以上のように、第３実施形態に係る電気的接続装置１Ｅでは、ホルダー３０Ｅに形成された複数のソケットハウジング収容空間ＳＥ１，ＳＥ２のそれぞれにおいて、複数のソケットハウジング２０Ｄを収容することができる。従って、上記第２実施形態の場合と同様、汎用性に優れた電気的接続装置を提供できる。さらに、左右方向における電気的接続装置１Ｅの寸法を短くしつつ、複数のソケットハウジング２０Ｅの配置自由度を高めることができる。
【０１９６】
＜第２実施形態及び第３実施形態の変形例＞
（１）なお、第２実施形態及び第３実施形態においても、図１２（Ａ）の変形例で示す区画部材５０と同様の区画部材をソケットハウジング２０Ｄに代えて配置してもよい。この場合、区画部材は、例えばソケットハウジング２０Ｄと同様の形状に形成される。
【０１９７】
（２）また、上述した第２及び第３実施形態では、コネクタ１０Ｄ，１０Ｅが複数のソケットハウジング２０Ｄ及び１つのホルダー３０Ｄ，３０Ｅを有し、各ソケットハウジング２０Ｄが嵌合された状態のホルダー３０Ｄ，３０Ｅを相手側コネクタ２Ｄ，２Ｅに嵌合する例を挙げて説明した。しかし、これに限らず、コネクタがホルダーを備えておらず、コネクタが有する複数のソケットハウジングを、直接、相手側コネクタに嵌合させるような構成を有する電気的接続装置を構成してもよい。この場合、ベースハウジングが第２ハウジングの機能を果たし、ベースハウジング内の空間が、第１ハウジング収容空間としての機能を果たすことになる。
【０１９８】
（３）また、図１４（Ａ）に示す変形例での構成と同様に、隣り合う２つのソケットハウジング２０Ｄが互いに直接固定されてもよい。
【０１９９】
（４）また、上述した第２及び第３実施形態では、相手側コネクタ２Ｄ，２Ｅがディップタイプのコネクタである例を挙げて説明したが、これに限らない。例えば、相手側コネクタ２Ｄ，２Ｅは、表面実装タイプのコネクタであってもよい。また、上記実施形態では、本発明の適用例として、基板対電線のコネクタを例に挙げて説明したが、これに限らず、その他のコネクタに適用することもできる。例えば、電線対電線のコネクタに適用することもできる。
【０２００】
（５）また、上述した第２及び第３実施形態では、ソケットハウジング２０Ｄと、ホルダー３０Ｄ，３０Ｅとは、上フック７８Ｄ，７８Ｅを用いたロック構造によって互いにロックされる形態を例に説明したけれども、これに限らない。例えば、ソケットハウジング２０Ｄと、ホルダー３０Ｄ，３０Ｅとは、ランスやロック爪を用いたロック構造によって互いにロックされてもよい。また、ソケットハウジング２０Ｄ及びホルダー３０Ｄ，３０Ｅの何れか一方に凸部を設け、他方にこの凸部に圧入される凹部を設けることで、ソケットハウジング２０Ｄ及びホルダー３０Ｄ，３０Ｅを互いに着脱可能にしてもよい。
【０２０１】
（６）また、上述した第３実施形態では、ソケットハウジング２０Ｄが２列に整列された形態を例に説明した。しかしながら、これに限らない。例えば、ホルダー３０Ｅの中部７４Ｅの一部を省略するとともに、中部３０Ｅが省略された箇所に収容されるソケットハウジングを、２つのソケットハウジング２０Ｄが一体化された構成に相当するソケットハウジング（大ソケットハウジング）としてもよい。この場合、大ソケットハウジングとソケットハウジング２０Ｄとは、左右に交互に配置されてもよいし、大ソケットハウジングを左右に連続して並べるとともに、ソケットハウジング２０Ｄを左右に連続して並べてもよい。また、例えば、ホルダー３０Ｅの中部７４Ｅの全てを省略するとともに、全てのソケットハウジングを大ソケットハウジングとしてもよい。
【産業上の利用可能性】
【０２０２】
本発明は、複数の接続対象を相手側の接続対象へ電気的に接続する電気的接続装置として広く適用することができる。
【符号の説明】
【０２０３】
１，１ａ，１Ｄ，１Ｅ  電気的接続装置
２，２ａ，２Ｄ，２Ｅ  相手側コネクタ
９  オス端子部（相手側コンタクト部）
１０，１０ａ，１０Ｄ，１０Ｅ  コネクタ
１１  メス端子部（コンタクト部）
２０，６０，２０Ｄ  ソケットハウジング（第１ハウジング）
３０，４０，３０Ｄ，３０Ｅ  ホルダー（第２ハウジング）
３２，３２Ｅ  ホルダーの底部
３２ａ，３２ａＥ  ホルダーの貫通孔（貫通孔）
３２ｂＤ，３２ｂＥ  底部の後縁部（一縁部）
３２ｃＥ  底部の前縁部（一縁部）
７９Ｄ，７９Ｅ  支点部
ＡＤ，ＡＥ１，ＡＥ２  着脱方向
Ｃ  ケーブル（導電部）
Ｓ，ＳＤ，ＳＥ  ソケットハウジング収容空間（第１ハウジング収容空間）
Ｓ１，ＳＥ１  ソケットハウジング第１収容空間（第１ハウジング収容空間）
Ｓ２，ＳＥ２  ソケットハウジング第２収容空間（第１ハウジング収容空間）
【図１】
2018125274.tif 000003
【図２】
2018125274.tif 000004
【図３】
2018125274.tif 000005
【図４】
2018125274.tif 000006
【図５】
2018125274.tif 000007
【図６】
2018125274.tif 000008
【図７】
2018125274.tif 000009
【図８】
2018125274.tif 000010
【図９】
2018125274.tif 000011
【図１０】
2018125274.tif 000012
【図１１】
2018125274.tif 000013
【図１２】
2018125274.tif 000014
【図１３】
2018125274.tif 000015
【図１４】
2018125274.tif 000016
【図１５】
2018125274.tif 000017
【図１６】
2018125274.tif 000018
【図１７】
2018125274.tif 000019
【図１８】
2018125274.tif 000020
【図１９】
2018125274.tif 000021
【図２０】
2018125274.tif 000022
【図２１】
2018125274.tif 000023
【図２２】
2018125274.tif 000024
【図２３】
2018125274.tif 000025
【図２４】
2018125274.tif 000026
【図２５】
2018125274.tif 000027
【図２６】
2018125274.tif 000028
【図２７】
2018125274.tif 000029
【図２８】
2018125274.tif 000030
【図２９】
2018125274.tif 000031
【図３０】
2018125274.tif 000032
【図３１】
2018125274.tif 000033
【図３２】
2018125274.tif 000034
【図３３】
2018125274.tif 000035